(57)【要約】      （修正有）【課題】屋内で昆虫を効果的に誘引して捕獲することができ、低コストで、小型で、移動が可能であって、捕獲された昆虫に触れずに、洗浄してメンテナンスすることができる捕虫器装置および該装置を用いる方法を提供する。【解決手段】筺体内に少なくとも部分的に収納されており、且つ昆虫に付着するように構成された粘着剤面と、第１の開口部１２０とを有する筺体を含む捕獲器部１１４と、捕獲器部１１４に対して光を提供するように構成された照明素子と、電源に連通し、電源から電力を受け入れるように構成された取り付け部とを含むベース部１１２とを備え、捕獲器部１１４は、ベース部１１２に着脱可能に係合し、ベース部１１２に係合されたときにベース部１１２から光を受け入れるように構成される捕虫器。【選択図】図１
2019076111.tif 000002
【特許請求の範囲】
【請求項１】
筺体内に少なくとも部分的に収納されており、且つ昆虫に付着するように構成された粘着剤面と、第１の開口部とを有する前記筺体を含む捕獲器部と、
前記捕獲器部に対して光を提供するように構成された照明素子と、電源に連通し、前記電源から電力を受け入れるように構成された取り付け部とを含むベース部と
を備え、
前記捕獲器部は、前記ベース部に着脱可能に係合し、前記ベース部に係合されたときに前記ベース部から光を受け入れるように構成される捕虫器。
【請求項２】
前記第１の開口部は、昆虫が前記筺体内に進入することを可能にするように構成される請求項１に記載の捕虫器。
【請求項３】
前記筺体は、前記筺体から前記光が発することを可能にするように構成された第２の開口部を含む請求項１に記載の捕虫器。
【請求項４】
前記ベース部内では、前記光は操作されない請求項１に記載の捕虫器。
【請求項５】
前記筺体は、前記光が前記ベース部から前記筺体内に受け入れられることを可能にするように構成された第３の開口部を含む請求項１に記載の捕虫器。
【請求項６】
前記筺体は、所定パターンの前記光を分散するように構成される請求項１に記載の捕虫器。
【請求項７】
前記筺体は、
第１の内側面を有する前部ハウジング部と、
第２の内側面を有する後部ハウジング部と
を備え、
前記前部ハウジング部と前記後部ハウジング部とは、前記筺体を形成するために互いに嵌合的に係合され、
前記第１の内側面または前記第２の内側面のうちの少なくとも１つは、光を操作するように構成される請求項６に記載の捕虫器。
【請求項８】
前記第１の内側面または前記第２の内側面のうちの少なくとも１つは粘着剤面を備える請求項７に記載の捕虫器。
【請求項９】
前記後部ハウジング部は、凹状曲面を有し、前記凹状曲面は、光を前記筺体内に均一に反射するように構成される請求項８に記載の捕虫器。
【請求項１０】
光は、前記粘着剤面に昆虫を誘引するために前記粘着剤面を照らして、前記粘着剤面を通じて伝達される請求項９に記載の捕虫器。
【請求項１１】
前記筺体は、
第１の内側面を有する前部ハウジング部と、
第２の内側面を有する後部ハウジング部と、
前記前部ハウジング部と前記後部ハウジング部との間に少なくとも部分的に配置された仕切り部と
を備え、
前記前部ハウジング部と前記後部ハウジング部とは、前記筺体を形成するために互いに嵌合的に係合され、
前記仕切り部は、前記筺体を前部筺体部と後部筺体部とに分割する請求項６に記載の捕虫器。
【請求項１２】
前記仕切り部は、半透明材料を備える後面を含み、粘着剤面を備える前面を含む請求項１１に記載の捕虫器。
【請求項１３】
前記後部ハウジング部の前記第２の内側面は、凹状曲面を備え、前記凹状曲面は、前記仕切り部の前記後面上で光を反射するように構成される請求項１１に記載の捕虫器。
【請求項１４】
光は、前記粘着剤面に昆虫を誘引するために前記粘着剤面を照らして、前記粘着剤面を通じて伝達される請求項１２に記載の捕虫器。
【請求項１５】
前記仕切り部の前記後面は、前記後部ハウジング部の前記第２の内側面から、または前記照明素子から直接、前記光を受け入れるように構成される請求項１２に記載の捕虫器。
【請求項１６】
前記仕切り部は、傾斜角にて光を受け入れるとともに、前記仕切り部にわたって拡散するように構成される請求項１５に記載の捕虫器。
【請求項１７】
前記仕切り部は、光を操作するように構成される請求項１１に記載の捕虫器。
【請求項１８】
前記仕切り部は、平面形状または曲線形状を備え、前記仕切り部の形状は、配光を最適化するように構成される請求項１５に記載の捕虫器。
【請求項１９】
前記ベース部は、突起部を備え、前記捕獲器部は、前記突起部を受け入れるための凹部を備え、前記捕獲器部によって前記突起部が受け入れられると、前記ベース部と前記捕獲器部とが係合される請求項１に記載の捕虫器。
【請求項２０】
前記捕獲器部は、突起部を備え、前記ベース部は、前記突起部を受け入れるための凹部を備え、前記突起部が前記ベース部によって受け入れられると、前記ベース部と前記捕獲器部とが係合される請求項１に記載の捕虫器。
【請求項２１】
前記捕獲器部は、ポリマー材料、繊維性材料、または炭素系材料を備える請求項１に記載の捕虫器。
【請求項２２】
前記取り付け部は、前記取り付け部の後面から実質的に垂直且つ直接的に突出する剛性導体を有する電気プラグを備え、前記導体は、電気コンセント内に挿入可能である請求項１に記載の捕虫器。
【請求項２３】
前記電源は、電気コンセントまたはバッテリを備える請求項１に記載の捕虫器。
【請求項２４】
前記照明素子は、発光ダイオード（ＬＥＤ）を備える請求項１に記載の捕虫器。
【請求項２５】
前記照明素子は、紫外（ＵＶ）ＬＥＤおよび青色ＬＥＤを備える請求項２４に記載の捕虫器。
【請求項２６】
前記ベース部は、前記照明素子に対して定電圧を提供するように構成されたエナジースタビライザを備える請求項１に記載の捕虫器。
【請求項２７】
前記エナジースタビライザは、全整流回路を備える請求項２６に記載の捕虫器。
【請求項２８】
前記ベース部は、開口部を備え、前記開口部は、前記ベース部から前記捕獲器部まで光を発することを可能にするように構成される請求項１に記載の捕虫器。
【請求項２９】
前記開口部は、透明窓または半透明窓を備える請求項２８に記載の捕虫器。
【請求項３０】
前記開口部は、照明素子に隣接する請求項２８に記載の捕虫器。
【請求項３１】
前記捕獲器部は、昆虫誘引物質を備える請求項１に記載の捕虫器。
【請求項３２】
前記昆虫誘引物質は、ソルビトール、鞘翅目誘引物質、双翅目誘引物質、同翅類誘引物質、鱗翅目誘引物質、直鎖鱗翅目フェロモン、オイゲノール、メチルオイゲノール、およびシグルールからなる群から選択される請求項３１に記載の捕虫器。
【請求項３３】
前記鞘翅目誘引物質は、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む請求項３２に記載の捕虫器。
【請求項３４】
前記双翅目誘引物質は、セラルア、キュウルア、ラチルア、メドルア、ｍｏｇｕｃｈｕｎ、ムスカルア、およびトリメドルアを含む請求項３２に記載の捕虫器。
【請求項３５】
前記同翅類誘引物質は、レスカルレを含む請求項３２に記載の捕虫器。
【請求項３６】
前記鱗翅目誘引物質は、ディスパールアを含む請求項３２に記載の捕虫器。
【請求項３７】
前記直鎖鱗翅目フェロモンは、コドレルア、ゴシップルア、ヘキサルア、リトルア、ループルア、オルフラルア、およびオストラモンを含む請求項３２に記載の捕虫器。
【請求項３８】
前記昆虫誘引物質は、筺体に一体化する請求項３１に記載の捕虫器。
【請求項３９】
前記ベース部は、送信器を備える請求項１に記載の捕虫器。
【請求項４０】
前記送信器は、昆虫誘引音を発するように構成された圧電スピーカを備える請求項３９に記載の捕虫器。
【請求項４１】
前記昆虫誘引音は、約０．２Ｈｚから２４０ＫＨｚの範囲の周波数を含む請求項４０に記載の捕虫器。
【請求項４２】
前記ベース部は、スイッチを備え、前記スイッチは、ユーザが前記捕虫器のプロパティを制御することを可能にするように構成される請求項１に記載の捕虫器。
【請求項４３】
前記プロパティは、電力、光度、発光波長または周波数、光点滅、光パターン、およびそれらの組み合わせからなる群から選択される請求項４２に記載に捕虫器。
【請求項４４】
前記スイッチは、機械スイッチ、光スイッチ、電子スイッチ、電気機械スイッチ、またはホール効果センサを備える請求項４２に記載の捕虫器。
【請求項４５】
前記筺体は、反射面を備える請求項１に記載の捕虫器。
【請求項４６】
前記粘着剤面は、前記反射面に隣接する請求項４５に記載の捕虫器。
【請求項４７】
前記ベース部は、前記照明素子に対する電圧を変化するように構成された回路を備え、前記照明素子は、前記捕獲器部に対して等明暗光を供給する請求項１に記載の捕虫器。
【請求項４８】
前記筺体は、外側面を備え、前記外側面は、前記筺体によって発せられた光量を低減するように構成されたスリーブによって少なくとも部分的に囲まれる請求項１に記載の捕虫器。
【請求項４９】
前記第１の内側面または第２の内側面のうちの少なくとも１つは、テクスチャ構造を備え、前記テクスチャ構造は、前記筺体の表面積を増加させるように構成される請求項１１に記載に捕虫器。
【請求項５０】
前記テクスチャ構造は、前記第１の内側面または第２の内側面の長さの少なくとも一部を延長するリブを備える請求項４９に記載の捕虫器。
【請求項５１】
前記第１の内側面または第２の内側面のうちの少なくとも１つは、テクスチャ構造を備え、前記テクスチャ構造は、前記筺体の表面積を増加させるように構成される請求項１３に記載の捕虫器。
【請求項５２】
前記テクスチャ構造は、前記第１の内側面または第２の内側面の長さの少なくとも一部を延長するリブを備える請求項５１に記載の捕虫器。
【請求項５３】
前記後部ハウジング部の前記第２の内側面に隣接して設置された導光体であって、前面および後面を有するとともに、前記ベース部から光を受け入れて、且つ前記筺体内の所定パターンで前記光を分散するように構成された導光体
をさらに備える請求項１１に記載の捕虫器。
【請求項５４】
前記導光体の前記前面は、接着剤をさらに備える請求項５３に記載の捕虫器。
【請求項５５】
光反射体の前記後面は、所定方向に発せられる光量を低減するように構成される請求項５３に記載の捕虫器。
【請求項５６】
前記導光体は、前記ベース部に隣接した部分で厚い奥行きを有し、反対側の端部で薄い奥行きを有する、テーパー形状である請求項５３に記載の捕虫器。
【請求項５７】
前記導光体の前記後面は、前記導光体内に光を反射するように構成される請求項５３に記載の捕虫器。
【請求項５８】
前記光は、前記筺体内に発せられる前に前記導光体内部で複数回反射される請求項５３に記載の捕虫器。
【請求項５９】
前記後面は、リヤカバーまたはマット層を備える請求項５３に記載の捕虫器。
【請求項６０】
前記ベース部は、光学エンハンサをさらに備え、前記光学エンハンサは、所定パターンで前記捕獲器部内に光を方向づけるように構成される請求項１に記載の捕虫器。
【請求項６１】
前記光学エンハンサは、レンズを備える請求項６０に記載の捕虫器。
【請求項６２】
前記筺体は、内側スリーブを備え、前記ベース部は、外側スリーブを備え、前記内側スリーブは、前記外側スリーブに整列するように構成される請求項７に記載の捕虫器。
【請求項６３】
前記外側スリーブは、開口部を有する面板を備える請求項６２に記載の捕虫器。
【請求項６４】
前記面板の開口部は、前記筺体の開口部に対応し、前記開口部は、整列手段を提供する請求項６２に記載の捕虫器。
【請求項６５】
前記内側スリーブは、前記外側スリーブ内に落とし込まれるように構成される請求項６２に記載の捕虫器。
【請求項６６】
前記内側スリーブは、前記内側スリーブを堅持するためのタブを備える請求項６５に記載の捕虫器。
【請求項６７】
前記ベース部は、ドッキングスイッチを備え、前記ドッキングスイッチは、前記捕獲器部が前記ベース部に正確に係合された場合に、前記照明素子をアクティブ化するように構成される請求項１に記載の捕虫器。
【請求項６８】
前記捕獲器部は、ドッキングスイッチアクティベータを備え、前記ドッキングスイッチアクティベータは、前記捕獲器部が前記ベース部に正確に係合された場合に、前記ドッキングスイッチをアクティブ化するように構成される請求項６７に記載の捕虫器。
【請求項６９】
前記ドッキングスイッチは、機械スイッチ、光スイッチ、電子スイッチ、電気機械スイッチ、またはホール効果センサを備える請求項６７に記載の捕虫器。
【請求項７０】
捕獲器部であって、
筺体内部に少なくとも部分的に収納されており、且つ昆虫に付着するように構成された粘着剤面と、第１の開口部とを有する筺体と、
前記筺体内部に少なくとも部分的に収納されており、且つ前記筺体内部に光を供給するように構成されるとともに、電源に連通して前記電源から電力を受け入れるように構成された照明素子と
を含む捕獲器部と、
前記捕獲器部に着脱可能に係合し、且つ前記電源に対するアクセスを提供するように構成されたベース部と
を備える捕虫器。
【請求項７１】
前記照明素子は、複数の電気捕獲コンタクトを含み、前記ベース部は、複数の電気ベースコンタクトを含み、前記捕獲コンタクトは、前記照明素子に対して電力を供給する前記ベースコンタクトに連通するように構成される請求項７０に記載の捕虫器。
【請求項７２】
前記ベースコンタクトは、前記電源に連通する請求項７１に記載の捕虫器。
【請求項７３】
前記照明素子は、発光ダイオード（ＬＥＤ）を備える請求項７０に記載の捕虫器。
【請求項７４】
カートリッジを規定する筺体であって、粘着剤面と第１の開口部とを有する筺体を備え、
前記粘着剤面は、前記筺体内部に少なくとも部分的に収納されるとともに、昆虫に付着するように構成され、
前記第１の開口部は、昆虫が前記筺体を入ることを可能にするように構成され、
前記筺体は、前記筺体内部に所定パターンで光を供給するように構成される、着脱可能な捕虫器カートリッジ。
【請求項７５】
前記筺体は、照明素子をさらに備える請求項７４に記載のカートリッジ。
【請求項７６】
前記照明素子は、発光ダイオード（ＬＥＤ）を備える請求項７５に記載のカートリッジ。
【請求項７７】
前記照明素子は、紫外（ＵＶ）ＬＥＤと青色ＬＥＤとを備える請求項７６に記載のカートリッジ。
【請求項７８】
前記筺体は、
第１の内側面を有する前部ハウジング部と、
第２の内側面を有する後部ハウジング部と
を備え、
前記前部ハウジング部と前記後部ハウジング部とは、前記筺体を形成するために互いに嵌合的に係合され、
前記第１の内側面または前記第２の内側面のうちの少なくとも１つは、光を操作するように構成される請求項７４に記載のカートリッジ。
【請求項７９】
前記第１の内側面または前記第２の内側面のうちの少なくとも１つは、粘着剤面を備える請求項７８に記載のカートリッジ。
【請求項８０】
前記後部ハウジング部は、凹状曲面を有し、前記凹状曲面は、光を前記筺体内に均一に反射するように構成される請求項７４に記載のカートリッジ。
【請求項８１】
光は、前記粘着剤面に昆虫を誘引するために前記粘着剤面を照らして、前記粘着剤面を通じて伝達される請求項７４に記載のカートリッジ。
【請求項８２】
前記筺体は、
第１の内側面を有する前部ハウジング部と、
第２の内側面を有する後部ハウジング部と、
前記前部ハウジング部と前記後部ハウジング部との間に少なくとも部分的に配置された仕切り部と
を備え、
前記前部ハウジング部と前記後部ハウジング部とは、前記筺体を形成するために互いに嵌合的に係合され、
前記仕切り部は、前記筺体を前部筺体部と後部筺体部とに分割する請求項７４に記載のカートリッジ。
【請求項８３】
前記仕切り部は、半透明材料を備える後面を含み、粘着剤面を備える前面を含む請求項８２に記載のカートリッジ。
【請求項８４】
前記後部ハウジング部の前記第２の内側面は、凹状曲面を備え、前記凹状曲面は、前記仕切り部の前記後面上で光を反射するように構成される請求項８３に記載のカートリッジ。
【請求項８５】
前記光は、前記粘着剤面に昆虫を誘引するために前記粘着剤面を照らして、前記粘着剤面を通じて伝達される請求項８４に記載のカートリッジ。
【請求項８６】
前記仕切り部の前記後面は、前記後部ハウジング部の前記第２の内側面から、または照明素子から直接、光を受け入れるように構成される請求項８４に記載のカートリッジ。
【請求項８７】
前記筺体は、底面を備え、前記底面は、プラグ接続可能ベース内に着脱可能に受け入れられるように構成される請求項７４に記載のカートリッジ。
【請求項８８】
前記筺体は、生分解性材料を備える請求項７４に記載のカートリッジ。
【請求項８９】
前記筺体は、外側面を備え、前記外側面は、装飾要素を含む請求項７４に記載のカートリッジ。
【請求項９０】
前記装飾要素は、花、プラント、シェル、会社ロゴ、スポーツチームロゴ、フットボール、バスケットボール、サッカーボール、ホッケー用パック、フットボール用ヘルメット、またはホッケースティックからなる群から選択される形状を含む請求項８９に記載のカートリッジ。
【請求項９１】
前記捕獲器部は、昆虫誘引物質を備える請求項７４に記載のカートリッジ。
【請求項９２】
前記昆虫誘引物質は、ソルビトール、鞘翅目誘引物質、双翅目誘引物質、同翅類誘引物質、鱗翅目誘引物質、直鎖鱗翅目フェロモン、オイゲノール、メチルオイゲノール、およびシグルールからなる群から選択される請求項９１に記載のカートリッジ。
【請求項９３】
前記昆虫誘引物質は、前記カートリッジから約２メートルの距離で昆虫によって検出可能である請求項９１に記載のカートリッジ。
【請求項９４】
前記筺体は、テクスチャ構造を備え、前記テクスチャ構造は、前記筺体の表面積を増加させるように構成される請求項７４に記載のカートリッジ。
【請求項９５】
前記テクスチャ構造は、前記筺体の長さの少なくとも一部を延長するリブを備える請求項７４に記載のカートリッジ。
【請求項９６】
前記筺体内に設置される導光体をさらに備え、
前記導光体は、光を受け入れて、且つ前記筺体において所定パターンで前記光を分散するように構成される請求項７４に記載のカートリッジ。
【請求項９７】
前記筺体は、外側スリーブ内に受け入れられ、且つ前記外側スリーブに整列するように構成される内側スリーブを備える請求項７４に記載のカートリッジ。
【請求項９８】
前記外側スリーブは、開口部を有する面板を備える請求項９７に記載のカートリッジ。
【請求項９９】
前記面板の開口部は、前記筺体の開口部に対応し、前記開口部は、整列手段を提供する請求項９８に記載のカートリッジ。
【請求項１００】
前記内側スリーブは、前記内側スリーブを堅持するためのタブを備える請求項９７に記載のカートリッジ。
【請求項１０１】
前記カートリッジは、ドッキングスイッチアクティベータを備え、前記ドッキングスイッチアクティベータは、前記カートリッジが前記ベース部に正確に係合された場合に、ドッキングスイッチをアクティブ化するように構成される請求項７４に記載のカートリッジ。
【請求項１０２】
前記ドッキングスイッチアクティベータは、機械スイッチ、光スイッチ、電子スイッチ、電気機械スイッチ、またはホール効果センサを備える請求項１０１に記載のカートリッジ。
【請求項１０３】
捕虫器のベース部を設けるステップと、
捕虫器の第１の捕獲器部であって、開口部を備える前記第１の捕獲器部を設けるステップと、
前記ベース部に対して前記第１の捕獲器部を取り付けるステップと、
前記ベース部または前記第１の捕獲器部内部にある照明素子であって、前記第１の捕獲器部内に昆虫を誘引するように構成された前記照明素子に対して電力を供給するために電源に前記ベース部を連結するステップと、
前記開口部を通じて前記第１の捕獲器部内に昆虫を受け入れるステップと
を備える方法。
【請求項１０４】
前記ベース部から前記第１の捕獲器部を分離するステップと、
前記第１の捕獲器部を処分するステップと
をさらに備え、
前記昆虫は、前記処分された第１の捕獲器部内に残る請求項１０３に記載の方法。
【請求項１０５】
前記第１の捕獲器部は、前記第１の捕獲器部内の前記昆虫に人間が接触することなく処分される請求項１０４に記載の方法。
【請求項１０６】
前記第１の捕獲器部は、粘着剤面を備え、前記昆虫は、前記粘着剤面に付着する請求項１０３に記載の方法。
【請求項１０７】
前記ベース部は、ドッキングスイッチを備え、前記ドッキングスイッチは、前記第１の捕獲器部が前記ベース部に正確に取り付けられた場合に、前記照明素子をアクティブ化するように構成される請求項１０３に記載の方法。
【請求項１０８】
前記ベース部から前記第１の捕獲器部を分離する際に、前記照明素子の電源が切られる請求項１０４に記載の方法。
【請求項１０９】
前記ベース部から前記第１の捕獲器部を分離する際に、前記照明素子は、発する光から少なくとも部分的に遮蔽される請求項１０４に記載の方法。
【請求項１１０】
捕虫器の第２の捕獲器部であって、開口部を備える第２の捕獲器部を設けるステップと、
前記ベース部に前記第２の捕獲器部を取り付けるステップと
をさらに備える請求項１０４に記載の方法。
【請求項１１１】
前記第１の捕獲器部と前記第２の捕獲器部とは異なる構成を有する請求項１１０に記載の方法。
【請求項１１２】
ドッキング構造に係合するように構成された分離ピース上に設置されたドッキングアクティベータに呼応してアクティブ化するように構成されたドッキング構造を備え、
前記ドッキング構造は、電源に連通し、且つ照明素子に対する電力を制御するように構成されるドッキング装置。
【請求項１１３】
前記ドッキングアクティベータは、面、突起部、タブ、または磁石を備える請求項１１２に記載の装置。
【請求項１１４】
前記ドッキング構造は、前記ドッキングアクティベータが前記ドッキング構造に係合する場合に閉じるように構成され、前記ドッキングアクティベータが前記ドッキング構造から離脱する場合に開くように構成される請求項１１２に記載の装置。
【請求項１１５】
前記ドッキング構造は、前記ドッキングアクティベータからの圧力に呼応してアクティブ化するように構成される請求項１１２に記載の装置。
【請求項１１６】
前記ドッキング構造は、前記ドッキングアクティベータからの移動に呼応してアクティブ化するように構成される請求項１１２に記載の装置。
【請求項１１７】
カートリッジを規定する筺体であって、前記筺体内部に少なくとも部分的に収納されており、且つ昆虫に付着するように構成された粘着剤面と、第１の開口部とを有する筺体と、
取り付け部内にドッキング構造を係合するように構成されたドッキングアクティベータと
を備える、着脱可能な捕虫器カートリッジ。
【発明の詳細な説明】
【技術分野】
【０００１】
本開示は、概して捕虫器に関し、特に、最小の設置面積および美的に魅力的な設計を有する着脱可能な捕虫器に関する。
【０００２】
［関連出願に対する相互参照］
本出願は、「捕虫器装置および使用方法」と題して２０１３年３月１日に出願された米国仮特許出願第６１／７７１，７７４号、および「捕虫器装置および使用方法」と題して２０１３年３月１５日に出願された米国仮特許出願第６１／７８７，６２９号の有益性を主張し、それらの全体は、参照によって本明細書に援用される。
【背景技術】
【０００３】
飛翔害虫は、長い間、迷惑で健康上有害なものだった。古代以来、捕虫器は、飛翔昆虫を除外するために用いられており、無数の様々な捕獲器が、数世紀にわたって提案されており、開発されている。必然的に家への経路を見つける蠅および蚊を除去する必要性が常にあった。飛翔昆虫によって拡散される可能性がある、東部ウマ脳炎、西ナイルウィルスおよび有害な大腸菌伝染病、公衆衛生の脅威の最近の米国での発生は、この必要性を単に増加させた。昆虫は、紫外（ＵＶ）光と可視光との組み合わせを認識して誘引され得るので、屋内の捕虫器は、それ自身が紫外線源および可視光源を有し得る。捕虫器は、昆虫を誘引する紫外光および可視光の両方を発光する蛍光灯と、昆虫を捕獲する粘着ボードとを共通して有する。しかしながら、蛍光灯と蛍光灯に電力を供給する変圧器とを組み込む捕虫器は、捕虫器を必要とするところではどこでも大きすぎて収まりきれない可能性があり、また、家の部屋ごとに１つの捕虫器を買うには費用がかかりすぎる可能性もある。その上、昆虫が蛍光灯に接触する可能性があり、また、長期にわたってダストや昆虫の残骸が溜まる可能性もあり、それにより、光をブロックして、捕獲器の効果を低減させる。さらに、捕獲された昆虫や粘着剤に触れずに、粘着ボードを取り除いて交換するのは困難である可能性がある。
【発明の概要】
【発明が解決しようとする課題】
【０００４】
捕虫器装置および装置を用いる方法を、本明細書に記載する。捕虫器は、屋内で昆虫を効果的に誘引して捕獲することができ、また、市販の捕獲器よりも低コストで製造、販売され得る。捕虫器装置は、競合する屋内の捕虫器よりも小型になり得るし、１つの場所から別の場所に便利に移動が可能である。捕虫器装置は、捕獲された昆虫に触れずに、洗浄してメンテナンスすることを、より簡単にすることができる。
【課題を解決するための手段】
【０００５】
第１の態様において、第１の態様において、筺体内に少なくとも部分的に収納されており、且つ昆虫に付着するように構成された粘着剤面と、第１の開口部とを有する筺体を含む捕獲器部と、捕獲器部に対して光を提供するように構成された照明素子と、電源に連通し、電源から電力を受け入れるように構成された取り付け部とを含むベース部とを含み、捕獲器部は、ベース部に着脱可能に係合し、ベース部に係合されたときにベース部から光を受け入れるように構成される捕虫器が開示される。第１の態様の実施形態において、第１の開口部は、昆虫が筺体内に進入することを可能にするように構成される。第１の態様の実施形態において、筺体は、第２の開口部を含み、第２の開口部は、筺体から光を発することを可能にするように構成される。第１の態様の実施形態において、ベース部内では、光は操られない。第１の態様の実施形態において、筺体は、第３の開口部を含み、第３の開口部は、光がベース部から筺体内に受け入れられることを可能にするように構成される。第１の態様の実施形態において、筺体は、所定パターンで光を分散するように構成される。第１の態様の実施形態において、筺体は、第１の内側面を有する前部ハウジング部と、第２の内側面を有する後部ハウジング部とを含み、前部ハウジング部と後部ハウジング部とは、筺体を形成するために互いに嵌合的に係合され、第１の内側面または第２の内側面のうちの少なくとも１つは、光を操作するように構成される。第１の態様の実施形態において、第１の内側面または第２の内側面のうちの少なくとも１つは、粘着剤面を含む。第１の態様の実施形態において、後部ハウジング部は、凹状曲面を有し、凹状曲面は、光を筺体内に均一に反射するように構成される。第１の態様の実施形態において、光は、粘着剤面に昆虫を誘引するために粘着剤面を照らして、粘着剤面を通じて伝達される。第１の態様の実施形態において、筺体は、第１の内側面を有する前部ハウジング部と、第２の内側面を有する後部ハウジング部と、前部ハウジング部と後部ハウジング部との間に少なくとも部分的に配置された仕切り部とを含み、前部ハウジング部と後部ハウジング部とは、筺体を形成するために互いに嵌合的に係合され、仕切り部は、筺体を前部筺体部と後部筺体部とに分割する。第１の態様の実施形態において、仕切り部は、半透明材料を含む後面を含み、粘着剤面を含む前面を含む。第１の態様の実施形態において、後部ハウジング部の第２の内側面は、凹状曲面を含み、凹状曲面は、仕切り部の後面上で光を反射するように構成される。第１の態様の実施形態において、光は、粘着剤面に昆虫を誘引するために粘着剤面を照らして、粘着剤面を通じて伝達される。第１の態様の実施形態において、仕切り部の後面は、後部ハウジング部の第２の内側面から、または照明素子から直接、光を受け入れるように構成される。第１の態様の実施形態において、仕切り部は、傾斜角にて光を受け入れるとともに、仕切り部にわたって拡散するように構成される。第１の態様の実施形態において、仕切り部は、光を操作するように構成される。第１の態様の実施形態において、仕切り部は、平面形状または曲線形状（ｃｏｎｔｏｕｒｅｄ  ｓｈａｐｅ）を含み、仕���り部の形状は、配光を最適化するように構成される。第１の態様の実施形態において、ベース部は、突起部を含み、捕獲器部は、突起部を受け入れるための凹部を含み、捕獲器部によって突起部が受け入れられると、ベース部と捕獲器部とが係合される。第１の態様の実施形態において、捕獲器部は、突起部を含み、ベース部は、突起部を受け入れるための凹部を含み、ベース部が突起部によって受け入れられると、ベース部と捕獲器部とが係合される。第１の態様の実施形態において、捕獲器部は、ポリマー材料、繊維性材料、または炭素系材料を含む。第１の態様の実施形態において、取り付け部は、取り付け部の後面から実質的に垂直且つ直接的に突出する剛性導体を有する電気プラグを含み、導体は、電気コンセント内に挿入可能である。第１の態様の実施形態において、電源は、電気コンセントまたはバッテリを含む。第１の態様の実施形態において、照明素子は、発光ダイオード（ＬＥＤ）を含む。第１の態様の実施形態において、照明素子は、紫外（ＵＶ）ＬＥＤおよび青色ＬＥＤを含む。第１の態様の実施形態において、ベース部は、照明素子に対して定電圧を供給するように構成されたエナジースタビライザを含む。第１の態様の実施形態において、エナジースタビライザは、全整流回路（ｆｕｌｌ  ｒｅｃｔｉｆｉｅｒ  ｃｉｒｃｕｉｔ）を含む。第１の態様の実施形態において、ベース部は、開口部を含み、開口部は、ベース部から捕獲器部まで光を発することを可能にするように構成される。第１の態様の実施形態において、開口部は、透明窓または半透明窓を含む。第１の態様の実施形態において、開口部は、照明素子に隣接する。第１の態様の実施形態において、捕獲器部は、昆虫誘引物質を含む。第１の態様の実施形態において、昆虫誘引物質は、ソルビトール、鞘翅目誘引物質、双翅目誘引物質、同翅類誘引物質、鱗翅目誘引物質、直鎖鱗翅目フェロモン、オイゲノール、メチルオイゲノール、およびシグルールからなる群から選択される。第１の態様の実施形態において、鞘翅目誘引物質は、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む。第１の態様の実施形態において、双翅目誘引物質は、セラルア、キュウルア、ラチルア、メドルア、ｍｏｇｕｃｈｕｎ、ムスカルア、およびトリメドルアを含む。第１の態様の実施形態において、同翅類誘引物質は、レスカルレを含む。第１の態様の実施形態において、鱗翅目誘引物質は、ディスパールアを含む。第１の態様の実施形態において、直鎖鱗翅目フェロモンは、コドレルア、ゴシップルア、ヘキサルア、リトルア、ループルア、オルフラルア、およびオストラモンを含む。第１の態様の実施形態において、昆虫誘引物質は、筺体に一体化（ｉｎｔｅｇｒａｌ）する。第１の態様の実施形態において、ベース部は、送信器を含む。第１の態様の実施形態において、送信器は、昆虫誘引音を発するように構成された圧電スピーカを含む。第１の態様の実施形態において、昆虫誘引音は、約０．２Ｈｚから２４０ＫＨｚの範囲の周波数を含む。第１の態様の実施形態において、ベースは、スイッチを含み、スイッチは、ユーザが捕獲器のプロパティを制御することを可能にするように構成される。第１の態様の実施形態において、プロパティは、電力、光度、発光波長または周波数、光点滅、光パターン、およびその組み合わせからなる群から選択される。第１の態様の実施形態において、スイッチは、機械スイッチ、光スイッチ、電子スイッチ、電気機械スイッチ、またはホール効果センサを含む。第１の態様の実施形態において、筺体は、反射面を含む。第１の態様の実施形態において、粘着剤面は、反射面に隣接する。第１の態様の実施形態において、ベース部は、照明素子に対する電圧を変化するように構成された回路を含み、照明素子は、捕獲器部に対して等明暗光を供給する。第１の態様の実施形態において、筺体は外側面を含み、外側面は、筺体によって発せられた光量を低減するように構成されるスリーブによって少なくとも部分的に囲まれる。第１の態様の実施形態において、第１の内側面または第２の内側面のうちの少なくとも１つは、テクスチャ構造を含み、テクスチャ構造は、筺体の表面積を増加させるように構成される。第１の態様の実施形態において、テクスチャ構造は、第１の内側面または第２の内側面の長さの少なくとも一部を延長するリブを含む。第１の態様の実施形態において、第１の内側面または第２の内側面のうちの少なくとも１つは、テクスチャ構造を含み、テクスチャ構造は、筺体の表面積を増加させるように構成される。第１の態様の実施形態において、テクスチャ構造は、第１の内側面または第２の内側面の長さの少なくとも一部を延長するリブを含む。第１の態様の実施形態において、捕獲器は、後部ハウジング部の第２の内側面に隣接して設置された導光体であって、前面および後面を有するとともに、ベース部から光を受け入れて、且つ筺体内の所定パターンで光を分散するように構成された導光体をさらに含む。第１の態様の実施形態において、導光体の前面は、粘着剤をさらに含む。第１の態様の実施形態において、光反射体の後面は、所定方向に発せられる光量を低減するように構成される。第１の態様の実施形態において、導光体は、ベース部に隣接した部分で厚い奥行きを有し、反対側の端部で薄い奥行きを有する、テーパー形状である。第１の態様の実施形態において、導光体の後面は、導光体内に光を反射するように構成される。第１の態様の実施形態において、光は、筺体内に発せられる前に導光体内部で複数回反射される。第１の態様の実施形態において、後面は、リヤカバーまたはマット層を含む。第１の態様の実施形態において、ベース部は、光学エンハンサをさらに含み、光学エンハンサは、所定パターンで捕獲器部内に光を方向づけるように構成される。第１の態様の実施形態において、光学エンハンサは、レンズを含む。第１の態様の実施形態において、筺体は、内側スリーブを含み、ベース部は、外側スリーブを含み、内側スリーブは、外側スリーブに整列するように構成される。第１の態様の実施形態において、外側スリーブは、開口部を有する面板を含む。第１の態様の実施形態において、面板の開口部は筺体の開口部に対応し、開口部は、整列手段を提供する。第１の態様の実施形態において、内側スリーブは、外側スリーブ内に落とし込まれるように構成される。第１の態様の実施形態において、内側スリーブは、内側スリーブを堅持するためのタブを含む。第１の態様の実施形態において、ベース部は、ドッキングスイッチを含み、ドッキングスイッチは、捕獲器部がベース部に正確に係合された場合に、照明素子をアクティブ化するように構成される。第１の態様の実施形態において、捕獲器部は、ドッキングスイッチアクティベータを含み、ドッキングスイッチアクティベータは、捕獲器部がベース部に正確に係合された場合に、ドッキングスイッチをアクティブ化するように構成される。第１の態様の実施形態において、ドッキングスイッチは、機械スイッチ、光スイッチ、電子スイッチ、電気機械スイッチ、またはホール効果センサを含む。
【０００６】
第２の態様において、筺体内に少なくとも部分的に収納されており、且つ昆虫に付着するように構成された粘着剤面と、第１の開口部とを有する筺体と、筺体内部に少なくとも部分的に収納されており、且つ筺体内部に光を供給するように構成されるとともに、電源に連通して電源から電力を受け入れるように構成された照明素子とを含む捕獲器部と、捕獲器部に着脱可能に係合し、且つ電源に対するアクセスを提供するように構成されたベース部とを含む捕虫器が開示される。第２の態様の実施形態において、照明素子は、複数の電気捕獲コンタクトを含み、ベース部は、複数の電気ベースコンタクトを含み、捕獲コンタクトは、照明素子に対して電力を供給するベースコンタクトに連通するように構成される。第２の態様の実施形態において、ベースコンタクトは、電源に連通する。第２の態様の実施形態において、照明素子は、発光ダイオード（ＬＥＤ）を含む。
【０００７】
第３の態様において、カートリッジを規定する筺体であって、粘着剤面と第１の開口部とを有する筺体を備え、粘着剤面は、筺体内部に少なくとも部分的に収納されるとともに、昆虫に付着するように構成され、第１の開口部は、昆虫が筺体を入ることを可能にするように構成され、筺体は、筺体内部に所定パターンで光を供給するように構成される、着脱可能な捕虫器カートリッジが開示される。第３の態様の実施形態において、筺体は、照明素子をさらに含む。第３の態様の実施形態において、照明素子は、発光ダイオード（ＬＥＤ）を含む。第３の態様の実施形態において、照明素子は、紫外（ＵＶ）ＬＥＤと青色ＬＥＤとを含む。第３の態様の実施形態において、筺体は、第１の内側面を有する前部ハウジング部と、第２の内側面を有する後部ハウジング部とを含み、前部ハウジング部と後部ハウジング部とは、筺体を形成するために互いに嵌合的に係合され、第１の内側面または第２の内側面の少なくとも１つは、光を操作するように構成される。第３の態様の実施形態において、第１の内側面または第２の内側面のうちの少なくとも１つは、粘着剤面を含む。第３の態様の実施形態において、後部ハウジング部は、凹状曲面を有し、凹状曲面は、光を筺体内で均一に反射するように構成される。第３の態様の実施形態において、光は、粘着剤面に昆虫を誘引するために粘着剤面を照らして、粘着剤面を通じて伝達される。第３の態様の実施形態において、筺体は、第１の内側面を有する前部ハウジング部と、第２の内側面を有する後部ハウジング部と、前部ハウジング部と後部ハウジング部との間に少なくとも部分的に配置された仕切り部とを含み、前部ハウジング部と後部ハウジング部とは、筺体を形成するために互いに嵌合的に係合され、仕切り部は、筺体を前部筺体部と後部筺体部とに分割する。第３の態様の実施形態において、仕切り部は、半透明材料を有する後面を含み、粘着剤面を有する前面を含む。第３の態様の実施形態において、後部ハウジング部の第２の内側面は、凹状曲面を含み、凹状曲面は、仕切り部の後面上で光を反射するように構成される。第３の態様の実施形態において、光は、粘着剤面に昆虫を誘引するために粘着剤面を照らして、粘着剤面を通じて伝達される。第３の態様の実施形態において、仕切り部の後面は、後部ハウジング部の第２の内側面から、または照明素子から直接、光を受け入れるように構成される。第３の態様の実施形態において、筺体は、底面を含み、底面は、プラグ接続可能ベース内に着脱可能に受け入れられるように構成される。第３の態様の実施形態において、筺体は、生分解性材料を含む。第３の態様の実施形態において、筺体は、外側面を含み、外側面は、装飾要素を含む。第３の態様の実施形態において、装飾要素は、花、プラント、シェル、会社ロゴ、スポーツチームロゴ、フットボール、バスケットボール、サッカーボール、ホッケー用パック、フットボール用ヘルメット、またはホッケースティックからなる群から選択された形状を含む。第３の態様の実施形態において、捕獲器部は、昆虫誘引物質を含む。第３の態様の実施形態において、昆虫誘引物質は、ソルビトール、鞘翅目誘引物質、双翅目誘引物質、同翅類誘引物質、鱗翅目誘引物質、直鎖鱗翅目フェロモン、オイゲノール、メチルオイゲノール、およびシグルールからなる群から選択される。第３の態様の実施形態において、昆虫誘引物質は、カートリッジから約２メートルの距離で昆虫によって検出可能である。第３の態様の実施形態において、筺体は、テクスチャ構造を含み、テクスチャ構造は、筺体の表面積を増加させるように構成される。第３の態様の実施形態において、テクスチャ構造は、筐体の長さの少なくとも一部を延長するリブを含む。第３の態様の実施形態において、カートリッジは、筺体内に設置される導光体をさらに含み、導光体は、光を受け入れて、且つ筺体において所定パターンで光を分散するように構成される。第３の態様の実施形態において、筺体は、外側スリーブ内に受け入れられ、且つ外側スリーブに整列するように構成された内側スリーブを含む。第３の態様の実施形態において、外側スリーブは、開口部を有する面板を含む。第３の態様の実施形態において、面板の開口部は、筺体の開口部に対応し、開口部は、整列手段を提供する。第３の態様の実施形態において、内側スリーブは、内側スリーブを堅持するためのタブを含む。第３の態様の実施形態において、カートリッジは、ドッキングスイッチアクティベータを含み、ドッキングスイッチアクティベータは、カートリッジがベース部に正確に係合された場合に、ドッキングスイッチをアクティブ化するように構成される。第３の態様の実施形態において、ドッキングスイッチアクティベータは、機械スイッチ、光スイッチ、電子スイッチ、電気機械スイッチ、またはホール効果センサを含む。
【０００８】
第４の態様において、捕虫器のベース部を設けるステップと、捕虫器の第１の捕獲器部であって、開口部を含む第１の捕獲器部を設けるステップと、ベース部に対して第１の捕獲器部を取り付けるステップと、ベース部または第１の捕獲器部内部にある照明素子であって、第１の捕獲器部内に昆虫を誘引するように構成された照明素子に対して電力を供給するために電源にベース部を連結するステップと、開口部を通じて第１の捕獲器部内に昆虫を受け入れるステップとを含む方法が開示される。第４の態様の実施形態において、方法は、ベース部から第１の捕獲器部を分離するステップと、第１の捕獲器部を処分するステップとをさらに含み、昆虫は、処分された第１の捕獲器部内に残る。第４の態様の実施形態において、第１の捕獲器部は、第１の捕獲器部内の昆虫に人間が接触することなく処分される。第４の態様の実施形態において、第１の捕獲器部は、粘着剤面を含み、昆虫は、粘着剤面に付着する。第４の態様の実施形態において、ベース部は、ドッキングスイッチを含み、ドッキングスイッチは、捕獲器部がベース部に正確に取り付けられた場合に、照明素子をアクティブ化するように構成される。第４の態様の実施形態において、ベース部から第１の捕獲器部を分離する際に、照明素子の電源が切られる。第４の態様の実施形態において、ベース部から第１の捕獲器部を分離する際に、照明素子は、発する光から部分的に遮蔽される。第４の態様の実施形態において、方法は、捕虫器の第２の捕獲器部であって、開口部を含む第２の捕獲器部を設けるステップと、ベース部に第２の捕獲器部を取り付けるステップとをさらに含む。第４の態様の実施形態において、第１の捕虫器と第２の捕虫器とは異なる構成を有する。
【０００９】
第５の態様において、ドッキング構造に係合するように構成された分離ピース（ｓｅｐａｒａｔｅ  ｐｉｅｃｅ）上に設置されたドッキングアクティベータに呼応してアクティブ化するように構成されたドッキング構造を含み、ドッキング構造は、電源に連通し、且つ照明素子に対する電力を制御するように構成される、ドッキング装置が開示される。第５の態様の実施形態において、ドッキングアクティベータは、面、突起部、タブ、または磁石を含む。第５の態様の実施形態において、ドッキング構造は、ドッキングアクティベータがそれに係合する場合に閉じるように構成され、ドッキングアクティベータがそれから離脱する場合に開くように構成される。第５の態様の実施形態において、ドッキング構造は、ドッキングアクティベータからの圧力に呼応してアクティブ化するように構成される。第５の態様の実施形態において、ドッキング構造は、ドッキングアクティベータからの移動に呼応してアクティブ化するように構成される。
【００１０】
第６の態様において、カートリッジを規定する筺体であって、筺体内部に少なくとも部分的に収納されており、且つ昆虫に付着するように構成された粘着剤面と、第１の開口部とを有する筺体と、取り付け部内にドッキング構造を係合するように構成されたドッキングアクティベータとを含む、着脱可能な捕虫器カートリッジが開示される。
【００１１】
本開示のさらなる目的、特徴、および効果は、以下の図面に関連して、以下の詳細な説明から明らかになる。
【００１２】
添付の請求項が特殊性をもつ本技術の特徴を示すが、これらの技術は、それらの目的および効果に加えて、以下の添付の図面に関連して得られる、以下の詳細な説明から最もよく理解され得る。
【図面の簡単な説明】
【００１３】
【図１】本開示の原理による捕虫器の第１の実施形態の正面斜視図である。
【図２】捕獲器部を取り除いた、図１の捕虫器のベース部の後面斜視図である。
【図３】図１の捕虫器の捕獲器部の分解組立図である。
【図４】図１の捕虫器の端から端までの断面図である。
【図５】本開示の原理による捕虫器の第２の実施形態の端から端までの断面図である。
【図６】本開示の原理による捕虫器の第３の実施形態の正面斜視図である。
【図７】捕獲器部を取り除いた、図６の捕虫器のベース部の後面斜視図である。
【図８】図６の捕虫器の捕獲器部の部分的に剥離された斜視図である。
【図９】ベース部および捕獲器部の内部を示す、図６の捕虫器の端から端までの断面図である。
【図１０】本開示の原理による捕虫器の第４の実施形態の正面斜視図である。
【図１１】図１０の捕虫器の後面斜視図である。
【図１２】本開示の原理による捕虫器の第５の実施形態の正面斜視図である。
【図１３】図１２の捕虫器の後面斜視図である。
【図１４】ベース部から部分的に取り除かれた捕獲器部を示す、図１２の捕虫器の正面斜視図である。
【図１５】図１２の捕虫器の捕獲器部の部分的に剥離された斜視図である。
【図１６】ベース部および捕獲器部の内部を示す、図１２の捕虫器の端から端までの断面図である。
【図１７】本開示の原理による捕虫器の第６の実施形態の分解組立図である。
【図１８】ベース部および捕獲器部の内部を示す、図１７の捕虫器の端から端までの断面図である。
【図１９】本開示の原理による捕虫器の第７の実施形態の端から端までの断面図である。
【図２０】図１９の一部の拡大図である。
【図２１】ベース部から取り除かれた捕獲器部を示す、本開示の原理による捕虫器の第８の実施形態の斜視図である。
【図２２】図２１の捕虫器の断面図である。
【図２３】図２２の一部の拡大図である。
【発明を実施するための形態】
【００１４】
本明細書に記載される装置および方法の全体的な理解を提供するために、一部の例示的な実施形態をここで記載することになる。明瞭さおよび例証の目的のために、これらの装置および方法を、屋内の住宅または商業目的に用いる捕虫器に関して記載することになる。本明細書に記載される装置および方法を、適宜、適応し改善してもよいということは、当業者が理解するだろう。
【００１５】
本明細書に記載のように、捕虫器は、光源と、少なくとも１つの開口部を伴う着脱可能な筺体と、筺体内部の少なくとも部分的な粘着剤面と、光源からの光を粘着捕獲面上に向け直す光学系とを含んでもよい。光源は、少なくとも１つの発光ダイオード（ＬＥＤ）を含んでもよい。光学系を、着脱可能な筺体に取り付けてもよく、筺体内部に少なくとも部分的に設置してもよい。光学系は、光学エンハンサ、反射器、拡散器および／またはレンズを含んでもよい。捕虫器は、音声または香りを発する昆虫誘引物質をさらに含んでもよい。着脱可能な筺体を捕虫器から取り除いたら、捕虫器内の光源を停止してもよい。捕虫器は、捕虫器の後面から実質的に垂直に且つ一直線に突出する剛性導体をさらに含んでもよく、導体を電気ソケット内に挿入することができでもよく、それにより、電気ソケット内に電気プラグを挿入することによって、捕虫器を取り付けることができてもよい。交互に、捕虫器は、光源に対して電気的に連結された電池電源を含んでもよい。
【００１６】
捕虫器は、屋内で昆虫を効果的に誘引して捕獲することができ、また、従来の市販の昆虫捕獲器よりも低コストで製造、販売され得る。この構成例による捕虫器装置は、競合する屋内の捕虫器よりも小型になり得るし、１つの場所から別の場所に便利に移動が可能である。この構成例による捕虫器装置は、捕獲された昆虫に触れずに、洗浄してメンテナンスすることを、より簡単にすることができる。
【００１７】
図面を参照して、図１は、符号１１０にて概して示される、捕虫器の第１の実施形態の正面斜視図を示す。捕虫器１１０は、ベース部１１２と、着脱可能な捕獲器部１１４とを含む。ベース部１１２の前面１６０は、ユーザによる所望のとおりにスイッチ１１６を開閉することによって、捕虫器１１０の電源をオンまたはオフすることを可能にするように構成可能なスイッチ１１６を含んでもよい。代替え的に、スイッチ１１６は、例えば、光度、発光波長の組み合わせ、点滅光の様々なモード若しくは周波数、部屋が暗くなったときに電源をオンにする自動設定、またはリモートコントロール設定などの他の機能を制御するように構成されてもよい。捕獲器部１１４は、前面１６８内に少なくとも１つの開口部１２０を伴う前部ハウジング１１８を含む。
【００１８】
図２は、捕獲器部１１４を取り除いた、捕虫器１１０のベース部１１２の後面斜視図を示す。ベース部１１２の後面１６２から突出するものは、捕虫器１１０を壁に取り付けるとともに、標準的な家庭用電気コンセントにプロング１２２を挿入することによって捕虫器１１０に対して電力を提供するように構成した、２つの導電性プロング１２２である。代替え的に、ベース部１１２は、所望する場所ならどこにでも置かれるかまたは掛けられるように、且つベース部１１２内に搭載するバッテリ（図示せず）から電力を受け入れるように構成されてもよい。電気ソケットおよびバッテリは、捕虫器１１０に対して電力を供給するように説明されているが、任意の適当な電源を用いてもよい。ベース部１１２は、１つ以上の発光ダイオード（ＬＥＤ）１２４などの照明素子を含む。いくつかの実施形態において、ＬＥＤ１２４は、紫外（ＵＶ）光を発するものと、可視光（例えばブルーライト）を発するものとを含む。何らかの実施形態において、照明素子は、日光を模倣するために組み合わせた波長を発する。ベース部１１２の最上面１２６内に取り付けられるのは、ＬＥＤ１２４を露わにするために切り取られて部分的に示す、透明窓または半透明窓１２８であってもよい。透明窓または半透明窓１２８は、ダストや昆虫の残骸から１つ以上のＬＥＤ１２４を保護し、ベース部１１２を容易に清潔にすることを可能にする。最上面１２６には、スロット１３０があってもよく、最上面１２６の周辺部１６４には、リムまたは上方へ方向づけられた突起部１３２があってもよい。
【００１９】
図３は、捕虫器１１０の捕獲器部１１４の分解組立図を示す。捕獲器部１１４は、少なくとも１つの開口部１２０を伴う前部ハウジング１１８と、仕切り１３４と、後部ハウジング１４０とを含む。いくつかの実施形態において、仕切り１３４は、透明材料または半透明材料から構築されるか、または透明材料または半透明材料を含み、前面１３８上を透明粘着剤または半透明粘着剤１３６によってコーティングされてもよい。いくつかの実施形態において、相当な割合のＵＶ光および可視光が、例えば光の６０％以上が仕切り１３４および粘着剤１３６を通じて伝達されるように、仕切り１３４の材料および厚みや、粘着剤１３６の材料および厚みを選択する。いくつかの実施形態において、後部ハウジング１４０は反射コーティングされた内面１４２を含む。代替え的に、後部ハウジング１４０の材料および表面仕上げは、反射コーティングをせずに、ＵＶ光および／または可視光を反射するように構成されてもよい。後部ハウジング１４０は、その底面１６６上の開口部１４４を含んでもよいし、あるいは、開口部１４４を、透明窓または半透明窓（図示せず）で置換してもよい。
【００２０】
前部ハウジング１１８および後部ハウジング１４０を、熱成形された不透明プラスチック材料、あるいは紙、ボール紙、段ボール紙、若しくは製紙用パルプなどの他の不透明材料、透明材料、または半透明材料を含む、任意の適当な材料から構築してもよい。いくつかの実施形態において、前部ハウジング１１８および後部ハウジング１４０を、射出成形または他の適当な製造技術によって構築する。仕切り１３４は、光の均一な分散を最適化するために凸面、凹面、若しくは鞍状輪郭、または輪郭の組み合わせに形成されてもよいが、図示するように、仕切り１３４は、実質的に平面である。代替え的に、仕切り１３４は、粘着剤面の面積を増加させるとともに、明暗のコントラストの領域を作成するリブまたは他の特徴を有していてもよく、明暗のコントラストの領域は、幅広い種類の昆虫に対して高度に可視であり、昆虫に対してさらに魅力的になり得る。
【００２１】
いくつかの実施形態において、さらなる昆虫捕獲効率および能力を提供するために、内面１７０上の透明粘着剤、半透明粘着剤、または不透明粘着剤によって、前部ハウジング１１８をコーティングしてもよい。さらに、昆虫に対するその魅力を向上させるとともに、昆虫捕獲効率および効果をさらに向上させるために、前部ハウジング１１８は、また、内面１７０上の粘着剤コーティングの真下に反射コーティングを有してもよい。
【００２２】
いくつかの実施形態において、前部ハウジング１１８、仕切り１３４、および後部ハウジング１４０は、それらの周辺部にて粘着剤に相互に接合されるが、他の一般的に使用されるパッケージングアセンブリ技術（超音波溶接若しくはＲＦシーリング、または他の適当なアセンブリ方法によって接合されてもよい。捕獲器部１１４の材料は、また、昆虫誘引物質を含んでもよい。例えば、ソルビトール、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む鞘翅目誘引物質、セラルア、キュウルア、ラチルア、メドルア、ｍｏｇｕｃｈｕｎ、ムスカルア、およびトリメドルアを含む双翅目誘引物質、レスカルレを含む同翅類誘引物質、ディスパールアなどの鱗翅目誘引物質、コドレルア、ゴシップルア、ヘキサルア、リトルア、ループルア、オルフラルア、およびオストラモンを含む直鎖鱗翅目フェロモン、ならびにオイゲノール、メチルオイゲノール、およびシグルールなどの他の昆虫誘引物質、または、捕虫器１１０の昆虫誘引効率をさらに増加させる香りを供給する他の物質に、捕獲器部１１４を浸透させてもよい。このような実施形態において、昆虫誘引物質は、捕獲器部１１４に一体化する。代替え的に、前部ハウジング１１８の内面１７０上若しくは前部ハウジング１１８内の開口部１２０を通じて、または仕切り１３４の前面１３８上に取り付ける分離ピース内に、昆虫誘引物質を埋め込んでもよい。このような誘引物質が、捕虫器１１０からほぼ半径２メートルにわたって昆虫によって検知可能であることは好ましい。
【００２３】
図４は、ベース部１１２および捕獲器部１１４の内部を示す、捕虫器１１０の端から端までの断面切り欠き図である。図示するように、仕切り１３４は、捕獲器部１１４を前部筺体１４６と後部筺体１４８とに分離する。いくつかの実施形態において、ベース部１１２は、導電性プロング１２２、スイッチ１１６、および１つ以上のＬＥＤ１２４に電気的に接続された、コマンドを実行するためのプログラマブルプロセッサまたはチップ（図示せず）を有する回路基板１５０を含む。但し、明確にするために、電気的接続のすべてを示すとは限らない。回路基板１５０は、導電性プロング１２２から一般家庭の電流を受け入れ、スイッチ１１６の位置に反応し、１つ以上のＬＥＤ１２４を灯す電力を供給する電子回路を含んでもよい。回路基板１５０は、スイッチ１１６が閉位置にある場合に１つ以上のＬＥＤ１２４に対して安定した電圧を供給する、全波整流回路または他の回路などのエナジースタビライザを含んでもよいが、エナジースタビライザは、ある種の昆虫が魅力的であると感じる点滅光を提供する１つ以上のＬＥＤ１２４に対して可変電圧を供給してもよい。例えば、約０．０５Ｈｚ（例えば大型哺乳動物の呼吸数を模倣する）から２５０Ｈｚ（例えばオスのイエバエを誘引すると知られている最も高い点滅周波数）の範囲内の光点滅周波数が、望ましくなり得るし、照明素子を、この範囲内で点滅するように構成してもよい。回路基板１５０は、ＵＶ光および可視光の両方を提供する、１つ以上のＬＥＤ１２４に対して電力を提供してもよいが、１つ以上のＵＶＬＥＤ１２４のみ若しくは１つ以上の可視光ＬＥＤ１２４のみに対して電力を提供するか、または点滅するＵＶ光および可視光の組み合わせを生成する可変電力を提供するように回路基板１５０を構成してもよい。昆虫誘引音を発するためにベース部１１２内に取り付けられてもよい圧電スピーカ（図示せず）若しくは他の装置などの送信器または送受信器を駆動するように、回路基板１５０をさらに構成してもよい。例えば、送信器または送受信器は、約０．５Ｈｚ（例えば大型哺乳動物の心拍数）から２４０ＫＨｚ（例えば昆虫によって検出可能な最も高い周波数）の範囲内の周波数を有する昆虫誘引音を発してもよい。いくつかの実施形態において、周波数は、約５Ｈｚから１００ＫＨｚの範囲内にある。いくつかの実施形態において、周波数は、約３５Ｈｚから５０ＫＨｚの範囲内にある。このような昆虫誘引音が、捕虫器１１０からほぼ半径２メートルにわたって昆虫によって検知可能であることが好ましい。このような昆虫誘引音が、捕虫器１１０から半径ほぼ１メートルを超えて人間によって検出不可能であることが望ましい。
【００２４】
図示するように、ベース部１１２の最上面１２６内のスロット１３０およびベース部１１２の最上面１２６上の突起部１３２は、使用中に適当な場所にそれを固定するために捕獲器部１１４に係合するが、捕獲器部１１４をベース部１１２に対して確実に但し着脱可能に取り付けることを可能にする他の形式の取り付け機構に置換してもよい。
【００２５】
捕虫器１１０の動作において、導電性プロング１２２を、壁の電気ソケット内に挿入し、スイッチ１１６を、閉位置に移動してもよい。１つ以上のＬＥＤ１２４は、ベース部１１２内の窓１２８を通じて、捕獲器部１１４の後部ハウジング１４０内の開口部１４４を通じて、後部筺体１４８内に、そして後部ハウジング１４０の反射コーティングされた内面１４２および仕切り１３４の後面１５２上に直接伝達される、矢印によって表わされた光、好ましくは、光ＵＶおよび可視光を発する。いくつかの実施形態において、光は、ベース部１１２内で操作されず、捕獲器部１１４内に直接発せられる。後部ハウジング１４０の反射コーティングされた内面１４２は、凹形状を含み、仕切り１３４の後面１５２上に光を均一に分散するために１つ以上のＬＥＤ１２４からのＵＶ光および可視光を反射するように構成されてもよいが、後部ハウジング１４０の内面１４２の形状は、凸面状若しくはサドル形状または形状の組み合わせを有してもよいし、あるいは、より均一に光を分散するためにリブまたは他の特徴を有していてもよい。
【００２６】
代替え的に、仕切り１３４の後面１５２上に（例えば、焦点などで、特定のパターンによって均一に）ＵＶ光および可視光を分散するように構成されたアナモフィックレンズ（図示せず）若しくは任意の他のレンズまたはレンズの組み合わせなどの光学エンハンサは、開口部にて、または開口部１４４近くの後部ハウジング１４０に対して取り付けられてもよく、後部ハウジング１４０の反射コーティングされた内面１４２の役割に置き換わるか、または増強してもよい。いくつかの実施形態において、１つ以上のＬＥＤ１２４からのＵＶ光および可視光は、傾斜角（例えば、約０°から９０°の鋭角）にて仕切り１３４の後面１５２に直接衝突して仕切り１３４にわたって拡散され、後部ハウジング１４０の反射コーティングされた内面１４２、または後部ハウジング１４０に取り付けたレンズ（複数可）の役割に置き換わるか、または増強してもよい。
【００２７】
その後は、その前面１３８上の仕切り１３４および粘着剤コーティング１３６を通じて、および前部筺体１４６内に、光を伝達することができる。光は、さらに、仕切り１３４の光を拡散するプロパティ、その前面１３８上の粘着剤コーティング１３６、あるいは両方によって、均一に分散されてもよい。前部筺体１４６に入る光の一部は、前部ハウジング１１８内の１つ以上の開口部１２０を通じて継続し、捕虫器が設置される周辺領域内に発せられる。昆虫は、粘着剤コーティング１３６および前部ハウジング１１８内の１つ以上の開口部１２０を通じて発せられたＵＶ光および／または可視光に誘引され、１つ以上の開口部１２０内を、および粘着剤コーティング１３６上を飛行または巡回する可能性があり、そして、昆虫は（例えば粘着剤コーティング１３６から）粘着剤内に閉じ込められるようになる。ユーザは、前部ハウジング１１８内の１つ以上の開口部１２０を見ることによって、捕獲された昆虫を観察することができる。十分な数の昆虫を捕獲した場合、ユーザは、捕獲した昆虫、昆虫の残骸、または粘着剤に接触せずに、使用した捕獲器部１１４全体を容易に取り除き廃棄することができ、捕獲した昆虫、昆虫の残骸、または粘着剤は、捕獲器部１１４の内部の手の届かないところに残り、使用した捕獲器部を新たな捕獲器部１１４に置換する。新たな捕獲器部１１４は、捕虫器１１０が昆虫を効率的且つ効果的に誘引し捕獲し続けるということを保証する、未使用の粘着剤コーティング面および光指向面を有してもよい。
【００２８】
捕虫器１１０の利点が捕獲器部１１４内部での光の操作である、ということを認識するべきである。いくつかの実施形態において、光操作が捕獲器部１１４内部で単独で生じる。光操作は、反射、屈折、偏光、および／または拡散を含み、操作要素または操作面（例えば、内面１４２、仕切り１３４、および粘着剤コーティング１３６）に関与することによって実現される。いくつかの実施形態において、光操作は、粘着剤面または粘着剤コーティング１３６上での光の均一な分散を生じる。いくつかの実施形態において、粘着剤コーティング１３６上または捕獲器部１１４内部で所定パターン、例えば、均一の分散、高輝度のホットスポット、ホットスポットパターンおよび／またはその組み合わせによる均一の分散を生じるために、光を操作する。
【００２９】
任意の適当な粘着剤も、また、昆虫を捕獲するための粘着剤面の一部として用いてもよい。いくつかの実施形態において、アクリル樹脂、ブチルゴム、天然ゴム、ニトリル、シリコン、スチレンブロックコポリマー、スチレン−エチレン／プロピレン、スチレンーイソプレンースチレン、ビニルエーテルなどの感圧粘着剤を用いてもよい。概して、このような粘着剤の厚みは、約０．０１ミリメートルから１ミリメートルの範囲内になる。いくつかの実施形態において、粘着剤の厚みは、約０．０５ミリメートルから０．２ミリメートルの範囲内にあり、最も多く用いられる場合は約０．１ミリメートルの厚みをもつ。
【００３０】
この構成の捕虫器１１０は、ベース部１１２に対して着脱可能に取り付けてもよい、様々な異なる捕獲器部１１４に適合することができ、各捕獲器部１１４は、特定の種または複数の種の飛翔昆虫を誘引し捕獲するように独自に構成される。例えば、捕獲器部１１４の全体的なサイズおよび形状、ならびに捕獲器部１１４の前部ハウジング１１８内の開口部１２０のサイズ、形状、および配向を、特定の種または複数の種の飛翔昆虫を誘引し捕獲するように独自に構成してもよい。例えば、いくつかの実施形態において、捕獲器部１１４は、幅が約２０ミリメートルから６００ミリメートル、高さが２０ミリメートルから６００ミリメートル、および深さが５ミリメートルから１５０ミリメートルである。例えば、いくつかの実施形態において、捕獲器部１１４は、幅が約２０ミリメートルから２００ミリメートル、高さが２０ミリメートルから２００ミリメートル、および深さが５ミリメートルから８０ミリメートルである。例えば、いくつかの実施形態において、捕獲器部１１４は、幅が約２０ミリメートルから１３０ミリメートル、高さが２０ミリメートルから１３０ミリメートル、および深さが５ミリメートルから５０ミリメートルである。
【００３１】
いくつかの実施形態において、ベース部１１２は、幅が約２０ミリメートルから６００ミリメートル、高さが１０ミリメートルから１５０ミリメートル、および深さが１０ミリメートルから１５０ミリメートルである。いくつかの実施形態において、ベース部１１２は、幅が約２０ミリメートルから２００ミリメートル、高さが１０ミリメートルから１００ミリメートル、および深さが１０ミリメートルから８０ミリメートルである。いくつかの実施形態において、ベース部１１２は、幅が約２０ミリメートルから１３０ミリメートル、高さが１０ミリメートルから５０ミリメートル、および深さが１０ミリメートルから５０ミリメートルである。
【００３２】
本明細書で規定するように、開口部１２０は、様々な形状および／またはサイズを有してもよい。例えば、開口部１２０は、円形、正方形、長方形、多角形、および／または楕円形であってもよい。代替え的に、開口部１２０は、直線、曲線、または波状の形状若しくはパターンを有するスロットであってもよい。開口部１２０が円形である場合、開口部１２０は、直径約０．５ミリメートルから３０ミリメートルであってもよい。いくつかの実施形態において、円形開口部１２０は、直径約０．５ミリメートルから２０ミリメートルである。いくつかの実施形態において、円形開口部１２０は、直径約０．５ミリメートルから１５ミリメートルである。開口部１２０がスロット形状である場合、開口部１２０は、幅が約２ミリメートルから３０ミリメートル、および長さが５ミリメートルから５００ミリメートルであってもよい。いくつかの実施形態において、スロット開口部１２０は、幅が約２ミリメートルから２０ミリメートル、および長さが５ミリメートルから２００ミリメートルである。いくつかの実施形態において、スロット開口部１２０は、幅が約２ミリメートルから１５ミリメートル、および長さが５ミリメートルから１００ミリメートルである。
【００３３】
いくつかの実施形態において、開口部１２０は、捕獲器部１１４のすべてまたは一部をカバーする。例えば、開口部１２０は、捕獲器部１１４の表面積の約１％から７５％の範囲をカバーしてもよい。いくつかの実施形態において、開口部１２０は、捕獲器部１１４の表面積の約５％から５０％をカバーする。いくつかの実施形態において、開口部１２０は、捕獲器部１１４の表面積の約１０％から３０％をカバーする。
【００３４】
図５は、符号２１０で概して示す、捕虫器の第２の実施形態の断面図を示す。捕虫器２１０は、ベース部と着脱可能な捕獲器部２１４とを含む。ベース部２１２の後面２６２から突出するものは、捕虫器２１０を壁に取り付けるとともに、標準的な家庭用電気コンセントにプロング２１６を挿入することによって捕虫器２１０に対して電力を提供するように構成した、１つのみを示している、２つの導電性プロング１２２である。代替え的に、ベース部２１２は、所望する場所ならどこにでも置かれるかまたは掛けられるように、且つベース部２１２内に搭載するバッテリ（図示せず）から電力を受け入れるように構成されてもよい。電気ソケットおよびバッテリは、捕虫器２１０に対して電力を供給するように説明されているが、任意の適当な電源を用いてもよい。ベース部２１２は、１つ以上の発光ダイオード（ＬＥＤ）２１８などの照明素子を含む。いくつかの実施形態において、ＬＥＤ２１８は、紫外（ＵＶ）光を発するものと、可視光（例えばブルーライト）を発するものとを含む。何らかの実施形態において、照明素子は、日光を模倣するために組み合わせた波長を発する。
【００３５】
いくつかの実施形態において、ベース部２１２の最上面２２０内に取り付けられるのは、ＬＥＤ２１８を露わにするために切り取られて部分的に示す、透明窓または半透明窓２２２であってもよい。透明窓または半透明窓２２２は、ダストや昆虫の残骸から１つ以上のＬＥＤ２１８を保護し、ベース部２１２を容易に清潔にすることを可能にする。ベース部２１２の最上面２２０は、スロット２２４を含み、最上面２２０の周辺部２７０上は、上方へ方向づけられた突起部２２６である。
【００３６】
捕獲器部２１４は、少なくとも１つの開口部２３０を伴う前部ハウジング２２８と、導光体２３８とを含む。いくつかの実施形態において、導光体２３８は、前面２５４と、前面２５４上の粘着剤コーティングまたは粘着剤層２３４と、リヤカバー２４８とを含む。いくつかの実施形態において、粘着剤層２３４の材料および厚みは、相当な割合のＵＶ光および可視光が、例えば光の６０％以上が、粘着剤層２３４を通じて伝達するように選択される。導光体は、テーパー形状であり、その底面２４０を通じて１つ以上のＬＥＤ２１８からの光を受け入れ、且つ（例えば前面２５４および粘着剤層２３４を通じて）光を偏向して均一に分散するように構成されてもよい。リヤカバー２４８は、導光体２３８の後方、最上部、および側面を通じて光が漏れるのを防ぐように構成されてもよい。本明細書で規定するように、任意の適当な導光体も、また、用いてもよい。
【００３７】
前部ハウジング２２８を、熱成形された不透明プラスチック材料、あるいは紙、ボール紙、段ボール紙、若しくは製紙用パルプなどの他の不透明材料、透明材料、または半透明材料を含む、任意の適当な材料から構築してもよい。いくつかの実施形態において、前部ハウジング２２８を、射出成形または他の適当な製造技術によって構築する。
【００３８】
さらなる昆虫捕獲効率および能力を提供するために、内面（図示せず）上の透明粘着剤、半透明粘着剤、または不透明粘着剤によって、前部ハウジング２２８をコーティングしてもよい。さらに、昆虫に対するその魅力を向上させるとともに、昆虫捕獲効率および効果をさらに向上させるために、前部ハウジング２２８は、また、その内面上の粘着剤コーティングの真下に反射コーティングを有してもよい。前部ハウジング２２８および導光体２３８は、それらの周辺部にて粘着剤に相互に接合されてもよいが、他の一般的に使用されるパッケージングアセンブリ技術（超音波溶接若しくはＲＦシーリング、または他の適当なアセンブリ方法によって接合されてもよい。
【００３９】
図示するように、前部ハウジング２２８および導光体２３８は、前部筺体２４６を相互に形成する。導光体２３８は、テーパー形状（例えば、底面２４０において厚く、最上面２４２において薄い）であってもよく、アクリル酸またはポリカーボネートプラスチックなどのＵＶ光および／または可視光を導く任意の透明材料から構成されてもよい。リヤカバー２４８の内面（図示せず）は、導光体２３８内およびその前面２５４を通じて光を後方に反射する反射コーティングを有していてもよく、それによって、その光の伝達効率を増大させる。導光体２３８は、また、その光の伝達効率を向上させるために前面２５４上に可変のサイズ、奥行き、および密度のファセットまたは他の特徴を有してもよい。
【００４０】
代替え的に、いくつかの実施形態において、導光体２３８は、その前面２５４上にファセットまたは他の特徴を有しており、テーパー形状ではない。その前面２５４上に微視的なファセットまたは他の特徴を伴う導光体２３８は、一般的に導光板と称されるが、ファセットまたは他の特徴は、また、さらに大きくてもよいし、さらに効果的に機能してもよい。
【００４１】
代替え的に、いくつかの実施形態において、導光体２３８は、粘着剤コーティングを有しなくてもよいし、導光体２３８およびリヤカバー２４８は、ベース部２１２の一部であってもよい。このような実施形態において、捕獲器部２１４は、その周辺部において前部ハウジング２２８に取り付けられた、その前面上に粘着剤コーティングを伴う透明または半透明のバックプレート（図示せず）を含んでもよい。
【００４２】
捕獲器部２１４の材料は、また、昆虫誘引物質を含んでもよい。例えば、ソルビトール、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む鞘翅目誘引物質、セラルア、キュウルア、ラチルア、メドルア、ｍｏｇｕｃｈｕｎ、ムスカルア、およびトリメドルアを含む双翅目誘引物質、レスカルレを含む同翅類誘引物質、ディスパールアなどの鱗翅目誘引物質、コドレルア、ゴシップルア、ヘキサルア、リトルア、ループルア、オルフラルア、およびオストラモンを含む直鎖鱗翅目フェロモン、ならびにオイゲノール、メチルオイゲノール、およびシグルールなどの他の昆虫誘引物質、または、捕虫器１１０の昆虫誘引効率をさらに増加させる香りを供給する他の物質に、捕獲器部２１４を浸透させてもよい。このような実施形態において、昆虫誘引物質は、捕獲器部２１４に一体化する。代替え的に、前部ハウジング２２８の内面２５０上若しくは前部ハウジング２２８内の開口部２３０を通じて、または導光体２３８の前面２５４上に取り付ける分離ピース内に、昆虫誘引物質を埋め込んでもよい。このような誘引物質が、捕虫器２１０からほぼ半径２メートルにわたって昆虫によって検知可能であることは好ましい。
【００４３】
いくつかの実施形態において、ベース部２１２は、導電性プロング２１６、および１つ以上のＬＥＤ２１８に電気的に接続された、コマンドを実行するためのプログラマブルプロセッサまたはチップ（図示せず）を有する回路基板２５２を含む。但し、明確にするために、電気的接続のすべてを示すとは限らない。回路基板２５２は、導電性プロング２１６から一般家庭の電流を受け入れるとともに、１つ以上のＬＥＤ２１８を灯す電力を供給する電子回路を含んでもよい。回路基板２５２は、１つ以上のＬＥＤ２１８に対して安定した電圧を提供する全波整流回路または他の回路などのエナジースタビライザを含んでもよいが、エナジースタビライザは、ある種の昆虫が魅力的であると感じる点滅光を提供する１つ以上のＬＥＤ２１８に対して可変電圧を供給してもよい。例えば、約０．０５Ｈｚ（例えば大型哺乳動物の呼吸数を模倣する）から２７０Ｈｚ（例えばオスのイエバエを誘引すると知られている最も高い点滅周波数）の範囲内の光点滅周波数が、望ましくなり得るし、照明素子を、この範囲内で点滅するように構成してもよい。回路基板２５２は、ＵＶ光および可視光の両方を提供する、１つ以上のＬＥＤ２１８に対して電力を提供してもよいが、１つ以上のＵＶＬＥＤ２１８のみ若しくは１つ以上の可視光ＬＥＤ２１８のみに対して電力を提供するか、または点滅するＵＶ光および可視光の組み合わせを生成する可変電力を提供するように回路基板１５０を構成してもよい。昆虫誘引音を発するためにベース部２１２内に取り付けられてもよい圧電スピーカ若しくは他の装置などの送信器または送受信器を駆動するように、回路基板２５２をさらに構成してもよい。例えば、送信器または送受信器は、約０．５Ｈｚ（例えば大型哺乳動物の心拍数）から２４０ＫＨｚ（例えば昆虫によって検出可能な最も高い周波数）の範囲内の周波数を有する昆虫誘引音を発してもよい。いくつかの実施形態において、周波数は、約５Ｈｚから１００ＫＨｚの範囲内にある。いくつかの実施形態において、周波数は、約３５Ｈｚから５０ＫＨｚの範囲内にある。このような昆虫誘引音が、捕虫器２１０からほぼ半径２メートルにわたって昆虫によって検知可能であることが好ましい。このような昆虫誘引音が、捕虫器２１０から半径ほぼ１メートルを超えて人間によって検出不可能であることが望ましい。
【００４４】
図示するように、ベース部２１２の最上面２２０内のスロット２２４およびベース部２１２の最上面２２０上の突起部２２６は、使用中に適当な場所にそれを固定するために捕獲器部２１４に係合するが、捕獲器部２１４をベース部２１２上に確実に但し着脱可能に取り付けることを可能にする他の形式の取り付け機構に置換してもよい。
【００４５】
捕虫器２１０の動作において、導電性プロング２１６は、壁の電気ソケット内に挿入され、１つ以上のＬＥＤ２１８は、矢印によって表わされる光、好ましくはＵＶ光および可視光を発する。１つ以上のＬＥＤ２１８からの光は、窓２２２を通じて伝達し、テーパー形状である導光体２３８の厚い底面２４０に入り、その前面２５４およびその後面２５６に繰り返し反射することができる。いくつかの実施形態において、光は、ベース部２１２内で操作されず、捕獲器部２１４内に直接発せられる。粘着剤コーティング２３４上に、および粘着剤コーティングを通じて、および前部筺体２４６内に均一に分散される光を提供するために、反射した光の一部を、導光体２３８の前面２５４を通じて伝達してもよい。導光体２３８の前面２５４上の粘着剤コーティング２３４の屈折および光を拡散するプロパティによって、光をさらに均一に分散することができる。前部筺体２４６に入る光の一部は、前部ハウジング２２８内の１つ以上の開口部２３０を通じて継続し、捕虫器２１０が設置される周辺領域内に発せられる。昆虫は、粘着剤コーティング２３４を通じておよび前部ハウジング２２８内の１つ以上の開口部２３０を通じて伝達されたＵＶ光および／または可視光に誘引され、１つ以上の開口部２３０内を、および粘着剤コーティング２３４上を飛行または巡回する可能性があり、そして、昆虫は粘着剤内に閉じ込められるようになる。ユーザは、前部ハウジング２２８内の１つ以上の開口部２３０を見ることによって、捕獲された昆虫を観察することができる。十分な数の昆虫を捕獲した場合、ユーザは、捕獲した昆虫、昆虫の残骸、または粘着剤に接触せずに、使用した捕獲器部２１４全体を容易に取り除き廃棄することができ、捕獲した昆虫、昆虫の残骸、または粘着剤は、捕獲器部２１４の内部の手の届かないところに残り、使用した捕獲器部を新たな捕獲器部２１４に置換する。新たな捕獲器部２１４は、捕虫器２１０が昆虫を効率的且つ効果的に誘引し捕獲し続けるということを保証する、未使用の粘着剤コーティング面および光指向面を有してもよい。
【００４６】
捕虫器２１０の利点が捕獲器部２１４内部での光の操作である、ということを認識するべきである。いくつかの実施形態において、光操作が捕獲器部２１４内部で単独で生じる。光操作は、反射、屈折、偏光、および／または拡散を含み、操作要素または操作面（例えば、導光体２３８、前面２５４および後面２５６、ならびに粘着剤コーティング２３４）に関与することによって実現される。いくつかの実施形態において、光操作は、粘着剤面または粘着剤コーティング２３４上での光の均一な分散を生じる。いくつかの実施形態において、粘着剤コーティング２３４上または捕獲器部２１４内部で所定パターン、例えば、均一の分散、高輝度のホットスポット、ホットスポットパターンおよび／またはその組み合わせによる均一の分散を生じるために、光を操作する。
【００４７】
任意の適当な粘着剤も、また、昆虫を捕獲するための粘着剤面の一部として用いてもよい。いくつかの実施形態において、アクリル樹脂、ブチルゴム、天然ゴム、ニトリル、シリコン、スチレンブロックコポリマー、スチレン−エチレン／プロピレン、スチレンーイソプレンースチレン、ビニルエーテルなどの感圧粘着剤を用いてもよい。概して、このような粘着剤の厚みは、約０．０１ミリメートルから１ミリメートルの範囲内になる。いくつかの実施形態において、粘着剤の厚みは、約０．０５ミリメートルから０．２ミリメートルの範囲内にあり、最も多く用いられる場合は約０．１ミリメートルの厚みをもつ。
【００４８】
この構成の捕虫器２１０は、ベース部２１２に対して着脱可能に取り付けてもよい、様々な異なる捕獲器部２１４に適合することができ、各捕獲器部２１４は、特定の種または複数の種の昆虫を誘引し捕獲するように独自に構成される。例えば、捕獲器部２１４の全体的なサイズおよび形状、ならびに捕獲器部２１４の前部ハウジング２２８内の開口部２３０のサイズ、形状、および配向を、特定の種または複数の種の昆虫を誘引し捕獲するように独自に構成してもよい。例えば、いくつかの実施形態において、捕獲器部２１４は、幅が約２０ミリメートルから６００ミリメートル、高さが２０ミリメートルから６００ミリメートル、および深さが５ミリメートルから１５０ミリメートルである。例えば、いくつかの実施形態において、捕獲器部２１４は、幅が約２０ミリメートルから２００ミリメートル、高さが２０ミリメートルから２００ミリメートル、および深さが５ミリメートルから８０ミリメートルである。例えば、いくつかの実施形態において、捕獲器部２１４は、幅が約２０ミリメートルから１３０ミリメートル、高さが２０ミリメートルから１３０ミリメートル、および深さが５ミリメートルから５０ミリメートルである。
【００４９】
いくつかの実施形態において、ベース部２１２は、幅が約２０ミリメートルから６００ミリメートル、高さが１０ミリメートルから１５０ミリメートル、および深さが１０ミリメートルから１５０ミリメートルである。いくつかの実施形態において、ベース部２１２は、幅が約２０ミリメートルから２００ミリメートル、高さが１０ミリメートルから１００ミリメートル、および深さが１０ミリメートルから８０ミリメートルである。いくつかの実施形態において、ベース部２１２は、幅が約２０ミリメートルから１３０ミリメートル、高さが１０ミリメートルから５０ミリメートル、および深さが１０ミリメートルから５０ミリメートルである。
【００５０】
本明細書で規定するように、開口部２３０は、様々な形状および／またはサイズを有してもよい。例えば、開口部２３０は、円形、正方形、長方形、多角形、および／または楕円形であってもよい。代替え的に、開口部２３０は、直線、曲線、または波状の形状若しくはパターンを有するスロットであってもよい。開口部２３０が円形である場合、開口部２３０は、直径約０．５ミリメートルから３０ミリメートルであってもよい。いくつかの実施形態において、円形開口部２３０は、直径約０．５ミリメートルから２０ミリメートルである。いくつかの実施形態において、円形開口部２３０は、直径約０．５ミリメートルから１５ミリメートルである。開口部２３０がスロット形状である場合、開口部２３０は、幅が約２ミリメートルから３０ミリメートル、および長さが５ミリメートルから５００ミリメートルであってもよい。いくつかの実施形態において、スロット開口部２３０は、幅が約２ミリメートルから２０ミリメートル、および長さが５ミリメートルから２００ミリメートルである。いくつかの実施形態において、スロット開口部２３０は、幅が約２ミリメートルから１５ミリメートル、および長さが５ミリメートルから１００ミリメートルである。
【００５１】
いくつかの実施形態において、開口部２３０は、捕獲器部２１４のすべてまたは一部をカバーする。例えば、開口部２３０は、捕獲器部２１４の表面積の約１％から７５％の範囲をカバーしてもよい。いくつかの実施形態において、開口部２３０は、捕獲器部２１４の表面積の約５％から５０％をカバーする。いくつかの実施形態において、開口部２３０は、捕獲器部２１４の表面積の約１０％から３０％をカバーする。
【００５２】
図６は、符号３１０にて概して示される、捕虫器の第３の実施形態の正面斜視図を示す。捕虫器３１０は、ベース部３１２と、着脱可能な捕獲器部３１４とを含む。いくつかの実施形態において、ベース部３１２の前面３６０は、ユーザによる所望のとおりにスイッチ３１６を開閉することによって、捕虫器３１０の電源をオンまたはオフすることを可能にするように構成可能なスイッチ３１６を含む。代替え的に、スイッチ３１６は、例えば、光度、発光波長の組み合わせ、異なる点滅周波数または点滅モード、部屋が暗くなったときに電源をオンにする自動設定、またはリモートコントロール設定などの他の機能を制御するように構成されてもよい。捕獲器部３１４は、少なくとも１つの開口部３２０を伴うハウジング３１８を含む。
【００５３】
図７は、捕獲器部３１４を取り除いた、捕虫器３１０のベース部３１２の後面斜視図を示す。ベース部３１２の後面３６２から突出するものは、捕虫器３１０を壁に取り付けるとともに、標準的な家庭用電気コンセントに挿入することによって捕虫器３１０に対して電力を提供するように構成した、２つの導電性プロング３２２である。代替え的に、ベース部３１２は、所望する場所ならどこにでも置かれるかまたは掛けられるように、且つベース部３１２内に搭載するバッテリ（図示せず）から電力を受け入れるように構成されてもよい。電気ソケットおよびバッテリは、捕虫器３１０に対して電力を供給するように説明されているが、任意の適当な電源を用いてもよい。ベース部３１２は、１つ以上の発光ダイオード（ＬＥＤ）３２４などの照明素子を含む。いくつかの実施形態において、ＬＥＤ３２４は、紫外（ＵＶ）光を発するものと、可視光（例えばブルーライト）を発するものとを含む。何らかの実施形態において、照明素子は、日光を模倣するために組み合わせた波長を発する。ベース部３１２の最上面３２６内に取り付けられるのは、ＬＥＤ３２４を露わにするために切り取られて部分的に示す、透明窓または半透明窓３２８であってもよい。透明窓または半透明窓３２８は、ダストや昆虫の残骸から１つ以上のＬＥＤ３２４を保護し、ベース部３１２を容易に清潔にすることを可能にする。ベース部３１２の最上面３２６の周辺部３６４から上方に方向づけられた突起部またはリム３３０突出部は、使用中に適当な場所に捕獲器部３１４を固定する役目をすることができるが、捕獲器部３１４をベース部３１２に対して確実に但し着脱可能に取り付けることを可能にする他の形式の取り付け機構に置換してもよい。
【００５４】
図８は、捕虫器３１０の捕獲器部３１４の、部分的に剥離された、斜視図を示す。捕獲器部３１４は、１つ以上の開口部３２０を伴う筺体を形成するハウジング３１８と、１つ以上の内面３３４に対して塗布された透明または半透明の粘着剤コーティングとを含む。いくつかの実施形態において、相当な割合のＵＶ光および可視光が、例えば光の６０％以上がハウジング３１８および粘着剤コーティングを通じて伝達されるように、ハウジング３１８の材料および厚みや、粘着剤コーティングの材料および厚みを選択する。ハウジング３１８を、熱成形された不透明プラスチック材料、あるいは紙、ボール紙、段ボール紙、若しくは製紙用パルプなどの他の不透明材料、透明材料、または半透明材料を含む、任意の適当な材料から構築してもよい。いくつかの実施形態において、ハウジング３２８を、射出成形または他の適当な製造技術によって構築する。
【００５５】
図示するように、ハウジング３１８は、粘着剤コーティング面面積を増大し、ある昆虫種が魅力的であると感じる交互の明／暗領域を生成し、且つ捕獲器部３１４の内部３７０への昆虫誘引光の伝達を向上させるリブ３３６または他の特徴を含む。ハウジング３１８の外面３６８によって発せられた光量を低減するように構成されたスリーブ３３８は、底面３６６および１つ以上の開口部３２０を除くハウジング３１８の外面３６８をカバーする。スリーブ３３８を、熱成形された不透明プラスチック材料、あるいは紙、ボール紙、段ボール紙、若しくは製紙用パルプなどの他の不透明材料、透明材料、または半透明材料を含む、任意の適当な材料から構築してもよい。いくつかの実施形態において、スリーブ３３８は、スリーブ３３８がハウジング３１８の粘着剤コーティング内面３３４を通じてさらなる光を方向づけるとともに、昆虫を誘引・捕獲する効率および効果をさらに向上させることを可能にする、その内面の１つ以上の反射コーティングを含むいくつかの実施形態において、スリーブ３３８は、ハウジング３１８の外面３６８によって、または、底面３６６を除くハウジング３１８の外面３６８に対して塗布された、反射コーティング上に塗布されたコーティングによって、発せられた光量を低減するように構成されたコーティングに置換される。
【００５６】
捕獲器部３１４の材料は、また、昆虫誘引物質を含んでもよい。例えば、ソルビトール、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む鞘翅目誘引物質、セラルア、キュウルア、ラチルア、メドルア、ｍｏｇｕｃｈｕｎ、ムスカルア、およびトリメドルアを含む双翅目誘引物質、レスカルレを含む同翅類誘引物質、ディスパールアなどの鱗翅目誘引物質、コドレルア、ゴシップルア、ヘキサルア、リトルア、ループルア、オルフラルア、およびオストラモンを含む直鎖鱗翅目フェロモン、ならびにオイゲノール、メチルオイゲノール、およびシグルールなどの他の昆虫誘引物質、または、捕虫器１１０の昆虫誘引効率を増加させる香りを供給する他の物質に、捕獲器部３１４を浸透させてもよい。このような実施形態において、昆虫誘引物質は、捕獲器部３１４に一体化する。代替え的に、昆虫誘引物質は、ハウジング３１８の内面３３４上に、またはハウジング３１８内の開口部３２０を通じて取り付ける分離ピース内に埋め込まれてもよい。このような誘引物質が、捕虫器３１０からほぼ半径２メートルにわたって昆虫によって検知可能であることは好ましい。
【００５７】
図９は、ベース部３１２および捕獲器部３１４の内部を示す、捕虫器３１０の端から端までの断面図である。いくつかの実施形態において、ベース部３１２は、１つのみ示された導電性プロング３２２、スイッチ３１６、および１つ以上のＬＥＤ３２４に電気的に接続された、コマンドを実行するためのプログラマブルプロセッサまたはチップ（図示せず）を有する回路基板３４０を含む。但し、明確にするために、電気的接続のすべてを示すとは限らない。回路基板３４０は、導電性プロング３２２から一般家庭の電流を受け入れ、スイッチ３１６の位置に反応し、１つ以上のＬＥＤ３２４を灯す電力を供給する電子回路を含んでもよい。回路基板３４０は、スイッチ３１６が閉位置にある場合に１つ以上のＬＥＤ３２４に対して安定した電圧を供給する、全波整流フィルタ回路または他の回路などのエナジースタビライザを含んでもよいが、エナジースタビライザは、ある種の昆虫が魅力的であると感じる点滅光を提供する１つ以上のＬＥＤ３２４に対して可変電圧を供給してもよい。例えば、約０．０５Ｈｚ（例えば哺乳動物の呼吸数を模倣する）から２５０Ｈｚ（例えばオスのイエバエを誘引すると知られている最も高い点滅周波数）の範囲内の光点滅周波数が、望ましくなり得るし、照明素子を、この範囲内で点滅するように構成してもよい。回路基板３４０は、ＵＶ光および可視光の両方を提供する、１つ以上のＬＥＤ３２４に対して電力を提供してもよいが、１つ以上のＵＶＬＥＤ３２４のみ若しくは１つ以上の可視光ＬＥＤ３２４のみに対して電力を提供するか、または点滅するＵＶ光および可視光の組み合わせを生成する可変電力を提供するように回路基板３４０を構成してもよい。いくつかの実施形態において、昆虫誘引音を発するためにベース部３１２内に取り付けられてもよい圧電スピーカ若しくは他の装置などの送信器または送受信器を駆動するように、回路基板３４０を構成してもよい。例えば、送信器または送受信器は、約０．５Ｈｚ（例えば大型哺乳動物の心拍数）から２４０ＫＨｚ（例えば昆虫によって検出可能な最も高い周波数）の範囲内の周波数を有する昆虫誘引音を発してもよい。いくつかの実施形態において、周波数は、約５Ｈｚから１００ＫＨｚの範囲内にある。いくつかの実施形態において、周波数は、約３５Ｈｚから５０ＫＨｚの範囲内にある。このような昆虫誘引音が、捕虫器３１０からほぼ半径２メートルにわたって昆虫によって検知可能であることが好ましい。このような昆虫誘引音が、捕虫器３１０から半径ほぼ１メートルを超えて人間によって検出不可能であることが望ましい。
【００５８】
捕虫器３１０の動作において、導電性プロング３２２を、壁の電気ソケット内に挿入し、スイッチ３１６を、閉位置に移動してもよい。１つ以上のＬＥＤ３２４は、ベース部３１２内の少なくとも１つの窓３２８を通じて、およびハウジング３１８の底面３６６を通じて伝達する、矢印によって表わす光、好ましくはＵＶ光および可視光を発する。いくつかの実施形態において、光は、ベース部３１２内で操作されず、捕獲器部３１４内に直接発せられる。光の一部は、筺体内部で、ハウジング３１８の１つ以上の側面３７２の上に、および粘着剤コーティング内面３３４から外に、継続する。光の別の部分は、ハウジング３１８の底面３６６を通じて、および筺体内で継続し、粘着剤コーティング内面３３４を照らす。筺体３１８に入る光の一部は、開口部３２０を通じて継続し、捕虫器が設置される周辺領域内に発せられる。エリア内の昆虫は、開口部３２０を通じて伝達されるＵＶ光および／または可視光に誘引され、開口部３２０内および粘着剤コーティング内面３３４上を飛行または巡回し、エリア内の昆虫は、粘着剤内に突き刺されるようになって捕獲される。ユーザは、開口部３２０を見ることによって捕獲された昆虫を観察することができる。十分な数の昆虫を捕獲した場合、ユーザは、捕獲した昆虫、昆虫の残骸、または粘着剤に接触せずに、使用した捕獲器部３１４全体を容易に取り除き廃棄することができ、捕獲した昆虫、昆虫の残骸、または粘着剤は、捕獲器部３１４の内部の手の届かないところに残り、使用した捕獲器部を新たな捕獲器部３１４に置換する。新たな捕獲器部３１４は、未使用粘着剤コーティング内面３３４を有してもよく、ハウジング３１８は、ＵＶ光および／または可視光が捕獲器部３１４内に伝達される、清潔な底面３６６を有し、捕獲器部３１４の透明材料または半透明材料は、ＵＶ光に対する長期暴露により劣化せず、それによって、捕虫器３１０が効率的且つ効果的に昆虫を誘引して捕獲し続けることを保証する。
【００５９】
捕虫器３１０の利点が捕獲器部３１４内部での光の操作である、ということを認識するべきである。いくつかの実施形態において、光操作が捕獲器部３１４内部で単独で生じる。光操作は、反射、屈折、偏光、および／または拡散を含み、操作要素または操作面（例えば、ハウジング３１８および粘着剤コーティング内面３３４）に関与することによって実現される。いくつかの実施形態において、光操作は、粘着剤面または粘着剤コーティング上での光の均一な分散を生じる。いくつかの実施形態において、粘着剤コーティング上または捕獲器部３１４内部で所定パターン例えば、均一の分散、高輝度のホットスポット、ホットスポットパターンおよび／またはその組み合わせによる均一の分散を生じるために、光を操作する。
【００６０】
任意の適当な粘着剤も、また、昆虫を捕獲するための粘着剤面の一部として用いてもよい。いくつかの実施形態において、アクリル樹脂、ブチルゴム、天然ゴム、ニトリル、シリコン、スチレンブロックコポリマー、スチレン−エチレン／プロピレン、スチレンーイソプレンースチレン、ビニルエーテルなどの感圧粘着剤を用いてもよい。概して、このような粘着剤の厚みは、約０．０１ミリメートルから１ミリメートルの範囲内になる。いくつかの実施形態において、粘着剤の厚みは、約０．０５ミリメートルから０．２ミリメートルの範囲内にあり、最も多く用いられる場合は約０．１ミリメートルの厚みをもつ。
【００６１】
この構成の捕虫器３１０は、ベース部３１２に対して着脱可能に取り付けてもよい、様々な異なる捕獲器部３１４に適合することができ、各捕獲器部３１４は、特定の種または複数の種の昆虫を誘引し捕獲するように独自に構成される。例えば、捕獲器部３１４の全体的なサイズおよび形状、ならびに捕獲器部３１４のハウジング３１８内の開口部３２０のサイズ、形状、および配向を、特定の種または複数の種の昆虫を誘引し捕獲するように独自に構成してもよい。例えば、いくつかの実施形態において、捕獲器部３１４は、幅が約２０ミリメートルから６００ミリメートル、高さが２０ミリメートルから６００ミリメートル、および深さが５ミリメートルから１５０ミリメートルである。例えば、いくつかの実施形態において、捕獲器部３１４は、幅が約２０ミリメートルから２００ミリメートル、高さが２０ミリメートルから２００ミリメートル、および深さが５ミリメートルから８０ミリメートルである。例えば、いくつかの実施形態において、捕獲器部３１４は、幅が約２０ミリメートルから１３０ミリメートル、高さが２０ミリメートルから１３０ミリメートル、および深さが５ミリメートルから５０ミリメートルである。
【００６２】
いくつかの実施形態において、ベース部３１２は、幅が約２０ミリメートルから６００ミリメートル、高さが１０ミリメートルから１５０ミリメートル、および深さが１０ミリメートルから１５０ミリメートルである。いくつかの実施形態において、ベース部３１２は、幅が約２０ミリメートルから２００ミリメートル、高さが１０ミリメートルから１００ミリメートル、および深さが１０ミリメートルから８０ミリメートルである。いくつかの実施形態において、ベース部３１２は、幅が約２０ミリメートルから１３０ミリメートル、高さが１０ミリメートルから５０ミリメートル、および深さが１０ミリメートルから５０ミリメートルである。
【００６３】
本明細書で規定するように、開口部３２０は、様々な形状および／またはサイズを有してもよい。例えば、開口部３２０は、円形、正方形、長方形、多角形、および／または楕円形であってもよい。代替え的に、開口部３２０は、直線、曲線、または波状の形状若しくはパターンを有するスロットであってもよい。開口部３２０が円形である場合、開口部３２０は、直径約０．５ミリメートルから３０ミリメートルであってもよい。いくつかの実施形態において、円形開口部３２０は、直径約０．５ミリメートルから２０ミリメートルである。いくつかの実施形態において、円形開口部３２０は、直径約０．５ミリメートルから１５ミリメートルである。開口部３２０がスロット形状である場合、開口部３２０は、幅が約２ミリメートルから３０ミリメートル、および長さが５ミリメートルから５００ミリメートルであってもよい。いくつかの実施形態において、スロット開口部３２０は、幅が約２ミリメートルから２０ミリメートル、および長さが５ミリメートルから２００ミリメートルである。いくつかの実施形態において、スロット開口部３２０は、幅が約２ミリメートルから１５ミリメートル、および長さが５ミリメートルから１００ミリメートルである。
【００６４】
いくつかの実施形態において、開口部３２０は、捕獲器部３１４のすべてまたは一部をカバーする。例えば、開口部３２０は、捕獲器部３１４の表面積の約１％から７５％の範囲をカバーしてもよい。いくつかの実施形態において、開口部３２０は、捕獲器部３１４の表面積の約５％から５０％をカバーする。いくつかの実施形態において、開口部３２０は、捕獲器部３１４の表面積の約１０％から３０％をカバーする。
【００６５】
図１〜図９の実施形態に示したが、捕獲器部をベース部の最上面上に取り付けて、他の構成を効果的に動作させてもよい。例えば、図１０および図１１は、捕虫器の第４の実施形態を示しており、捕獲器部は、ベース部の前部に取り付けられる。
【００６６】
図１０は、正面斜視図であり、図１１は、後面斜視図であり、両方の図は、符号４１０で概して示す捕虫器の第４の実施形態を示す。ベース部４１２は、家庭の壁の電気ソケットにプラグ接続されることにより、取り付けられるとともに、電力を供給される。代替え的に、ベース部４１２は、所望する場所ならどこにでも置かれるかまたは掛けられるように、且つベース部４１２内に搭載するバッテリ（図示せず）から電力を受け入れるように構成されてもよい。電気ソケットおよびバッテリは、捕虫器４１０に対して電力を供給するように説明されているが、任意の適当な電源を用いてもよい。いくつかの実施形態において、ベース部４１２は、コマンドを実行するためのプログラマブルプロセッサまたはチップ（図示せず）を有する回路基板（図示せず）を含む。
【００６７】
１つ以上のＬＥＤ４１４などの照明素子を、ベース部４１２の前面４１８から突出する十字形の突起部４１６上に取り付けてもよい。代替え的に、ＬＥＤ４１４は、それ自身が突起部を形成してもよい。十字形の突起部を図示したが、取り付け表面および／またはＬＥＤ４１４の構成は、任意の所望の形状であってもよい。捕獲器部４２０は、１つ以上の粘着剤コーティング内面４２２と１つ以上の開口部４２４ともつ、半透明材料または透明材料のハウジング４５０を含む。いくつかの実施形態において、相当な割合のＵＶ光および可視光が、例えば光の６０％以上がハウジング４５０および粘着剤コーティングを通じて伝達されるように、ハウジング４５０の材料および厚みや、粘着剤の材料および厚みを選択する。捕獲器部４２０は、１つ以上の開口部４２４および後面４２８内の開口部４２６を除く、１つ以上の外面４５２上に、１つ以上の外面４５２によって発せられた光量を低減するように構成されたコーティングを含んでもよい。図示するように、開口部４２６は、十字形の空胴４５４であるが、任意の所望の形状であってもよい。例えば、ベース部４１２の前面４１８上の十字形の突起部４１６は、捕獲器部４２０をベース部４１２に対して着脱可能に取り付けるために捕獲器部４２０の後面４２８内の十字形の空胴４５４内の凹部に係合してもよい。したがって、この構成においては、捕獲器部４１４をベース部４１２の前面に取り付ける。
【００６８】
捕虫器４１０の動作において、ベース部４１２は、電気コンセント内にプラグ接続され、捕獲器部４２０は、ベース部４１２の前面に取り付けられる。１つ以上のＬＥＤ４１４からの光は、ＵＶ光および／または可視光の波長で、捕獲器部４２０の後面４２８内の十字形の空胴４５４内に伝達されてもよい。いくつかの実施形態において、光は、ベース部４１２内で操作されず、捕獲器部４１４内に直接発せられる。光の一部は、捕獲器部４２０内部および粘着剤コーティング内面４２２を通じて光を拡散し均一に広げる、捕獲器部４２０の半透明壁または透明壁内で継続することができる。光の別の部分は、捕獲器部４２０の背面壁４５６を通じて、および捕獲器部４２０の内部４３０内に、継続してもよく、粘着剤コーティング内面４２２を照らす。捕獲器部４２０に入る光の一部は、１つ以上の開口部４２４を通じて継続することができ、捕虫器４１０が設置される周辺領域内に発せられる。エリア内の昆虫は、１つ以上の開口部４２４を通じて伝達されるＵＶ光および／または可視光に誘引され、開口部４２４内および粘着剤コーティング内面４２２上を飛行または巡回し、エリア内の昆虫は、粘着剤内に突き刺されるようになって捕獲される。ユーザは、１つ以上の開口部４２４を見ることによって捕獲された昆虫を観察することができる。十分な数の昆虫を捕獲した場合、ユーザは、捕獲した昆虫、昆虫の残骸、または粘着剤に接触せずに、使用した捕獲器部４２０全体を容易に取り除き廃棄することができ、捕獲した昆虫、昆虫の残骸、または粘着剤は、捕獲器部３１４の内部の手の届かないところに残り、使用した捕獲器部を新たな捕獲器部４２０に置換する。新たな捕獲器部４２０は、未使用粘着剤コーティング内面４２２とＵＶ光および／または可視光が捕獲器部４２０内に伝達される後面４２８内の清潔な開口部４２６とを有してもよく、捕獲器部４２０の透明材料または半透明材料は、ＵＶ光に対する長期暴露により劣化せず、それによって、捕虫器４１０が効率的且つ効果的に昆虫を誘引して捕獲し続けることを保証する。
【００６９】
捕虫器４１０の利点が捕獲器部４２０内部での光の操作である、ということを認識するべきである。いくつかの実施形態において、光操作が捕獲器部４２０内部で単独で生じる。光操作は、反射、屈折、偏光、および／または拡散を含み、操作要素または操作面（例えば、捕獲器部４２０および粘着剤コーティング内面４２２）に関与することによって実現される。いくつかの実施形態において、光操作は、粘着剤面または粘着剤コーティング上での光の均一な分散を生じる。いくつかの実施形態において、粘着剤コーティング上または捕獲器部４２０内部で所定パターン、例えば、均一の分散、高輝度のホットスポット、ホットスポットパターンおよび／またはその組み合わせによる均一の分散を生じるために、光を操作する。
【００７０】
任意の適当な粘着剤も、また、昆虫を捕獲するための粘着剤面の一部として用いてもよい。いくつかの実施形態において、アクリル樹脂、ブチルゴム、天然ゴム、ニトリル、シリコン、スチレンブロックコポリマー、スチレン−エチレン／プロピレン、スチレンーイソプレンースチレン、ビニルエーテルなどの感圧粘着剤を用いてもよい。概して、このような粘着剤の厚みは、約０．０１ミリメートルから１ミリメートルの範囲内になる。いくつかの実施形態において、粘着剤の厚みは、約０．０５ミリメートルから０．２ミリメートルの範囲内にあり、最も多く用いられる場合は約０．１ミリメートルの厚みをもつ。
【００７１】
この構成の捕虫器４１０は、ベース部４１２に対して着脱可能に取り付けてもよい、様々な異なる捕獲器部４２０に適合することができ、各捕獲器部４２０は、特定の種または複数の種の昆虫を誘引し捕獲するように独自に構成される。例えば、捕獲器部４２０の全体的なサイズおよび形状、ならびに捕獲器部４２０の開口部４２４のサイズ、形状、および配向を、特定の種または複数の種の昆虫を誘引し捕獲するように独自に構成してもよい。例えば、いくつかの実施形態において、捕獲器部４２０は、幅が約２０ミリメートルから６００ミリメートル、高さが２０ミリメートルから６００ミリメートル、および深さが５ミリメートルから１５０ミリメートルである。例えば、いくつかの実施形態において、捕獲器部４２０は、幅が約２０ミリメートルから２００ミリメートル、高さが２０ミリメートルから２００ミリメートル、および深さが５ミリメートルから８０ミリメートルである。例えば、いくつかの実施形態において、捕獲器部４２０は、幅が約２０ミリメートルから１３０ミリメートル、高さが２０ミリメートルから１３０ミリメートル、および深さが５ミリメートルから５０ミリメートルである。
【００７２】
いくつかの実施形態において、ベース部４１２は、幅が約１０ミリメートルから６００ミリメートル、高さが１０ミリメートルから１５０ミリメートル、および深さが１０ミリメートルから１５０ミリメートルである。いくつかの実施形態において、ベース部４１２は、幅が約１０ミリメートルから２００ミリメートル、高さが１０ミリメートルから１００ミリメートル、および深さが１０ミリメートルから８０ミリメートルである。いくつかの実施形態において、ベース部４１２は、幅が約１０ミリメートルから１３０ミリメートル、高さが１０ミリメートルから５０ミリメートル、および深さが１０ミリメートルから５０ミリメートルである。
【００７３】
本明細書で規定するように、開口部４２４は、様々な形状および／またはサイズを有してもよい。例えば、開口部４２４は、円形、正方形、長方形、多角形、および／または楕円形であってもよい。代替え的に、開口部４２４は、直線、曲線、または波状の形状若しくはパターンを有するスロットであってもよい。開口部４２４が円形である場合、開口部４２４は、直径約０．５ミリメートルから３０ミリメートルであってもよい。いくつかの実施形態において、円形開口部４２４は、直径約０．５ミリメートルから２０ミリメートルである。いくつかの実施形態において、円形開口部４２４は、直径約０．５ミリメートルから１５ミリメートルである。開口部４２４がスロット形状である場合、開口部４２４は、幅が約２ミリメートルから３０ミリメートル、および長さが５ミリメートルから５００ミリメートルであってもよい。いくつかの実施形態において、スロット開口部４２４は、幅が約２ミリメートルから２０ミリメートル、および長さが５ミリメートルから２００ミリメートルである。いくつかの実施形態において、スロット開口部４２４は、幅が約２ミリメートルから１５ミリメートル、および長さが５ミリメートルから１００ミリメートルである。
【００７４】
いくつかの実施形態において、開口部４２４は、捕獲器部４２０のすべてまたは一部をカバーする。例えば、開口部４２４は、捕獲器部４２０の表面積の約１％から７５％の範囲をカバーしてもよい。いくつかの実施形態において、開口部４２４は、捕獲器部４２０の表面積の約５％から５０％をカバーする。いくつかの実施形態において、開口部４２４は、捕獲器部４２０の表面積の約１０％から３０％をカバーする。
【００７５】
図１２は、正面斜視図であり、図１３は、後面斜視図であり、両方の図は、符号５１０で概して示す捕虫器の第５の実施形態を示す。捕虫器５１０は、ベース部５１２と、着脱可能な捕獲器部５１４とを含む。ベース部５１２は、捕獲器部５１４を受け入れる最上面５６０内の大きな開口部５１８をもつハウジング５１６と、前面５６２上の１つ以上の小さな開口部５２０と、壁に対して捕虫器５１０を取り付け、且つ標準家庭の電気コンセント内に挿入することによって捕虫器５１０に対して電力を供給するように構成された、後面５６４上の２つの導電性プロング５２２とを含む。電気ソケットは、捕虫器５１０に対して電力を供給するように説明されているが、任意の適当な電源を用いてもよい。他の材料や構成手法を用いることもできるが、ベース部５１２を、不透明のプラスチックで射出成形してもよい。
【００７６】
図１４は、ベース部５１２から部分的に取り除かれた着脱可能な捕獲器部５１４を示す捕虫器５１０の正面斜視図である。捕獲器部５１４は、１つ以上の開口部５２６をもつハウジング５２４と、捕獲器部５１４を取り除いて置き換えるように構成されたタブ５２８とを含んでもよい。タブ５２８をつかんでベース部５１２のハウジング５１６の外に捕獲器部５１４を引き上げることによって、捕獲器部５１４を取り除いてもよい。いくつかの実施形態において、捕獲器部５１４内の開口部５２６は、サイズ、形状、配向、および位置に関してベース部５１２内の開口部５２０と一致または対応し、その結果、捕獲器部５１４がベース部５１２内に取り付けられると、それらは整列する。このような実施形態において、ユーザによって、内側スリーブを落とし込むことができるか、または外側スリーブ内に挿入することができる場合、捕獲器部５１４を、内側スリーブまたはポケットとして見なしてもよいし、ベース部５１２を、外側スリーブとして見なしてもよい。
【００７７】
図１５は、捕獲器部５１４の、部分的には剥離された、斜視図である。ハウジング５２４は、半透明の粘着剤または透明な粘着剤によりコーティングされた内面５３０を含む。図示するように、ハウジング５２４は、粘着剤コーティング面面積を増大し、ある昆虫種が魅力的であると感じる交互の明／暗領域を生成し、且つ捕獲器部５１４の内部への昆虫誘引光の伝達を向上させるリブ５３２または他の特徴を含む。いくつかの実施形態において、捕獲器部５１４は、２つの分離ピース、または２つの側面が一方の側にて接合され、且つ相互に折り畳まれる「貝殻」デザインで、半透明のプラスチックまたは透明シートプラスチックを熱成形するが、捕獲器部５１４を、半透明プラスチックまたは透明プラスチックで射出成形してもよいし、半透明紙または他の材料から構成してもよい。いくつかの実施形態において、相当な割合のＵＶ光および可視光が、例えば光の６０％以上が、捕獲器部５１４および粘着剤コーティングを通じて伝達されるように、捕獲器部５１４の材料および厚みや、粘着剤の材料および厚みを選択する。捕獲器部５１４の材料は、また、昆虫誘引物質を含んでもよい。例えば、ソルビトール、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む鞘翅目誘引物質、セラルア、キュウルア、ラチルア、メドルア、ｍｏｇｕｃｈｕｎ、ムスカルア、およびトリメドルアを含む双翅目誘引物質、レスカルレを含む同翅類誘引物質、ディスパールアなどの鱗翅目誘引物質、コドレルア、ゴシップルア、ヘキサルア、リトルア、ループルア、オルフラルア、およびオストラモンを含む直鎖鱗翅目フェロモン、ならびにオイゲノール、メチルオイゲノール、およびシグルールなどの任意の他の昆虫誘引物質、または、捕虫器１１０の昆虫誘引効率を増加させる香り若しくは誘引物質を供給する他の物質に、捕獲器部５１４の材料を浸透若しくは塗布してもよい。このような実施形態において、昆虫誘引物質は、捕獲器部５１４に一体化する。代替え的に、ハウジング５２４の内面５３０上に、またはハウジング５２４内の開口部５２６を通じて、取り付ける分離ピース内に昆虫誘引物質を埋め込んでもよい。このような誘引物質が、捕虫器５１０からほぼ半径２メートルにわたって昆虫によって検知可能であることは好ましい。
【００７８】
図１６は、ベース部５１２および捕獲器部５１４の内部を示す、捕虫器５１０の端から端までの断面図である。いくつかの実施形態において、ベース部５１２は、１つのみが示された導電性プロング５２２に対して電気的に接続されるとともに、コマンドを実行するためのプログラマブルプロセッサまたはチップ（図示せず）を有する回路基板５３４と、紫外（ＵＶ）光を発するもの、および／または可視光（例えばブルーライト）を発するものなどの、１つ以上のＬＥＤ５３６などの照明素子とを含む。但し、明確にするために、電気的接続のすべてを示すとは限らない。回路基板５３４は、導電性プロング５２２から任意の一般家庭の電流を受け入れるとともに、１つ以上のＬＥＤ５３６を灯す電力を供給する電子回路を含んでもよい。代替え的に、回路基板５３４を、ベース部５１２内に取り付けたバッテリ（図示せず）から電力を受け入れるように構成してもよい。電気ソケットおよびバッテリは、捕虫器５１０に対して電力を供給するように説明されているが、任意の適当な電源を用いてもよい。回路基板５３４は、１つ以上のＬＥＤ５３６に対して安定した電圧を提供する全波整流回路または他の回路などのエナジースタビライザを含んでもよいが、エナジースタビライザは、ある種の昆虫が魅力的であると感じる点滅光を提供する１つ以上のＬＥＤ５３６に対して可変電圧を供給し得る。例えば、約０．０５Ｈｚ（例えば哺乳動物の呼吸数を模倣する）から２７０Ｈｚ（例えばオスのイエバエを誘引すると知られている最も高い点滅周波数）の範囲内の光点滅周波数が、望ましくなり得るし、照明素子を、この範囲内で点滅するように構成してもよい。回路基板５３４は、ＵＶ光および可視光の両方を提供する、１つ以上のＬＥＤ５３６に対して電力を提供してもよいが、１つ以上のＵＶＬＥＤ５３６のみ若しくは１つ以上の可視光ＬＥＤ５３６のみに対して電力を提供するか、または点滅するＵＶ光および可視光の組み合わせを生成する可変電力を提供するように回路基板３４０を構成してもよい。昆虫誘引音を発するためにベース部５１２内に取り付けられてもよい圧電スピーカ若しくは他の装置などの送信器または送受信器を駆動するように、回路基板５３４をさらに構成してもよい。例えば、送信器または送受信器は、約０．５Ｈｚ（例えば大型哺乳動物の心拍数）から２４０ＫＨｚ（例えば昆虫によって検出可能な最も高い周波数）の範囲内の周波数を有する昆虫誘引音を発してもよい。いくつかの実施形態において、周波数は、約５Ｈｚから１００ＫＨｚの範囲内にある。いくつかの実施形態において、周波数は、約３５Ｈｚから５０ＫＨｚの範囲内にある。このような昆虫誘引音が、捕虫器５１０からほぼ半径２メートルにわたって昆虫によって検知可能であることが好ましい。このような昆虫誘引音が、捕虫器５１０から半径ほぼ１メートルを超えて人間によって検出不可能であることが望ましい。
【００７９】
捕虫器５１０の動作において、導電性プロング５２２は、壁の電気ソケット内に挿入される。１つ以上のＬＥＤ５３６は、捕獲器部５１４のハウジング５２４の後面５３８を通じて伝達する。矢印によって表わす光、好ましくはＵＶ光および可視光を発する。いくつかの実施形態において、光は、ベース部５１２内で操作されず、捕獲器部５１４内に直接発せられる。光の一部は、筺体内部で、ハウジング５２４の１つ以上の側面５７２の上に、および粘着剤コーティング内面５３０から外に、継続する。光の別の部分は、ハウジング５２４の壁を通じて、および筺体内で継続し、粘着剤コーティング内面５３０を灯す。筺体を入る光の一部は、捕獲器部５１４内の開口部５２６およびベース部内の対応する開口部５２０を通じて継続し、捕虫器５１０が設置されているエリア内に発せられてもよい。エリア内の昆虫は、ベース部５１２内の１つ以上の開口部４２４を通じて伝達されるＵＶ光および／または可視光に誘引され、捕獲器部５１４内の開口部５２０内および粘着剤コーティング内面５３０上を飛行または巡回し、エリア内の昆虫は、粘着剤内に突き刺されるようになって捕獲される。ユーザは、開口部５２０および５２６を見ることによって捕獲された昆虫を観察することができる。十分な数の昆虫を捕獲した場合、ユーザは、捕獲した昆虫、昆虫の残骸、または粘着剤に接触せずに、使用した捕獲器部５１４全体を容易に取り除き廃棄することができ、捕獲した昆虫、昆虫の残骸、または粘着剤は、捕獲器部５１４の内部の手の届かないところに残り、使用した捕獲器部を新たな捕獲器部５１４に置換する。新たな捕獲器部５１４は、その内面５３０を覆う未使用粘着剤を含んでもよく、ハウジング５２４は、ＵＶ光および可視光が捕獲器部５１４内に伝達される、清潔な後面５３８を有しており、捕獲器部５１４の透明材料または半透明材料は、ＵＶ光に対する長期暴露により劣化せず、それによって、捕虫器５１０が効率的且つ効果的に昆虫を誘引して捕獲し続けることを保証する。
【００８０】
捕虫器５１０の利点が捕獲器部５１４内部での光の操作である、ということを認識するべきである。いくつかの実施形態において、光操作が捕獲器部５１４内部で単独で生じる。光操作は、反射、屈折、偏光、および／または拡散を含み、操作要素または操作面（例えば、ハウジング５１６および粘着剤コーティング内面５３０）に関与することによって実現される。いくつかの実施形態において、光操作は、粘着剤面または粘着剤コーティング上での光の均一な分散を生じる。いくつかの実施形態において、粘着剤コーティング上または捕獲器部５１４内部で所定パターン、例えば、均一の分散、高輝度のホットスポット、ホットスポットパターンおよび／またはその組み合わせによる均一の分散を生じるために、光を操作する。
【００８１】
任意の適当な粘着剤も、また、昆虫を捕獲するための粘着剤面の一部として用いてもよい。いくつかの実施形態において、アクリル樹脂、ブチルゴム、天然ゴム、ニトリル、シリコン、スチレンブロックコポリマー、スチレン−エチレン／プロピレン、スチレンーイソプレンースチレン、ビニルエーテルなどの感圧粘着剤を用いてもよい。概して、このような粘着剤の厚みは、約０．０１ミリメートルから１ミリメートルの範囲内になる。いくつかの実施形態において、粘着剤の厚みは、約０．０５ミリメートルから０．２ミリメートルの範囲内にあり、最も多く用いられる場合は約０．１ミリメートルの厚みをもつ。
【００８２】
この構成の捕虫器５１０は、ベース部５１２に対して着脱可能に取り付けてもよい、様々な異なる捕獲器部５１４に適合することができ、各捕獲器部５１４は、特定の種または複数の種の昆虫を誘引し捕獲するように独自に構成される。例えば、捕獲器部５１４の全体的なサイズおよび形状、ならびに捕獲器部５１４のハウジング５２４内の開口部５２６のサイズ、形状、および配向を、特定の種または複数の種の昆虫を誘引し捕獲するように独自に構成してもよい。例えば、いくつかの実施形態において、捕獲器部５１４は、幅が約２０ミリメートルから６００ミリメートル、高さが２０ミリメートルから６００ミリメートル、および深さが５ミリメートルから１５０ミリメートルである。例えば、いくつかの実施形態において、捕獲器部５１４は、幅が約２０ミリメートルから２００ミリメートル、高さが２０ミリメートルから２００ミリメートル、および深さが５ミリメートルから８０ミリメートルである。例えば、いくつかの実施形態において、捕獲器部５１４は、幅が約２０ミリメートルから１３０ミリメートル、高さが２０ミリメートルから１３０ミリメートル、および深さが５ミリメートルから５０ミリメートルである。
【００８３】
いくつかの実施形態において、ベース部５１２は、幅が約１０ミリメートルから６００ミリメートル、高さが１０ミリメートルから１５０ミリメートル、および深さが１０ミリメートルから１５０ミリメートルである。いくつかの実施形態において、ベース部５１２は、幅が約２０ミリメートルから２００ミリメートル、高さが１０ミリメートルから１００ミリメートル、および深さが１０ミリメートルから８０ミリメートルである。いくつかの実施形態において、ベース部５１２は、幅が約２０ミリメートルから１３０ミリメートル、高さが１０ミリメートルから５０ミリメートル、および深さが１０ミリメートルから５０ミリメートルである。
【００８４】
本明細書で規定するように、開口部５２６および開口部５２０は、様々な形状および／またはサイズを有してもよい。例えば、開口部５２６および開口部５２０は、円形、正方形、長方形、多角形、および／または楕円形であってもよい。代替え的に、開口部５２６および開口部５２０は、直線、曲線、または波状の形状若しくはパターンを有するスロットであってもよい。開口部５２６および開口部５２０が円形である場合、開口部５２６および開口部５２０は、直径約０．５ミリメートルから３０ミリメートルであってもよい。いくつかの実施形態において、円形開口部５２６および円形開口部５２０は、直径約０．５ミリメートルから２０ミリメートルである。いくつかの実施形態において、円形開口部５２６および円形開口部５２０は、直径約０．５ミリメートルから１５ミリメートルである。開口部５２６および開口部５２０がスロット形状である場合、開口部５２６および開口部５２０は、幅が約２ミリメートルから３０ミリメートル、および長さが５ミリメートルから５００ミリメートルであってもよい。いくつかの実施形態において、スロット開口部５２６およびスロット開口部５２０は、幅が約２ミリメートルから２０ミリメートル、および長さが５ミリメートルから２００ミリメートルである。いくつかの実施形態において、スロット開口部５２６およびスロット開口部は、幅が約２ミリメートルから１５ミリメートル、および長さが５ミリメートルから１００ミリメートルである。
【００８５】
いくつかの実施形態において、開口部５２６は、捕獲器部５１４のすべてまたは一部をカバーする。例えば、開口部５２６は、捕獲器部５１４の表面積の約１％から７５％の範囲をカバーしてもよい。いくつかの実施形態において、開口部５２６は、捕獲器部５１４の表面積の約５％から５０％をカバーする。いくつかの実施形態において、開口部５２６は、捕獲器部５１４の表面積の約１０％から３０％をカバーする。
【００８６】
図面を参照して、図１７は、符号６１０にて概して示される、捕虫器の第６の実施形態の分解組立図斜視図を示す。捕虫器６１０は、ベース部６１２と、着脱可能な捕獲器部６１４とを含む。捕獲器部６１４は、この図ではベース部６１２から取り除かれて示される。いくつかの実施形態において、ベース部６１２は、ユーザによる所望のとおりにスイッチ６１６を開閉することによって、捕虫器６１０の電源をオンまたはオフすることを可能にするように構成可能なスイッチ６１６を含む。代替え的に、スイッチ６１６は、例えば、光度、発光波長の組み合わせ、点滅光の様々なモード若しくは周波数、部屋が暗くなったときに電源をオンにする自動設定、またはリモートコントロール設定などの他の機能を制御するように構成されてもよい。捕獲器部６１４は、少なくとも１つの開口部６２０を伴うハウジング６１８を含む。
【００８７】
ベース部６１２の（図１８に示す）後面６７０から突出するものは、捕虫器６１０を壁に取り付けるとともに、標準的な家庭用電気コンセントにプロング６２２を挿入することによって捕虫器６１０に対して電力を提供するように構成した、１つのみを示している、２つの導電性プロング６２２である。代替え的に、ベース部６１２は、所望する場所ならどこにでも置かれるかまたは掛けられるように、且つベース部６１２内に搭載するバッテリ（図示せず）から電力を受け入れるように構成されてもよい。電気ソケットおよびバッテリは、捕虫器６１０に対して電力を供給するように説明されているが、任意の適当な電源を用いてもよい。ベース部６１２は、１つ以上のＬＥＤ６２４などの照明素子と、反射コーティングされた内面６２８を含む後部ハウジング６２６とを含む。いくつかの実施形態において、ＬＥＤ３２４は、紫外（ＵＶ）光を発するものと、可視光（例えばブルーライト）を発するものとを含む。何らかの実施形態において、照明素子は、日光を模倣するために組み合わせた波長を発する。いくつかの実施形態において、後部ハウジング６２６の材料および表面仕上げは、反射コーティングをせずに、ＵＶ光および／または可視光を反射するように構成されてもよい。図示するように、ベース部６１２は、ＬＥＤ６２４を露わにするために切り取られた、部分的に示す透明窓または半透明窓６３０を含む。透明窓または半透明窓６３０は、ダストおよび昆虫の残骸から後部ハウジング６２６および１以上のＬＥＤ６２４の反射コーティングされた内面６２８を保護するとともに、ベース部６１２を容易に清潔にすることを可能にする。透明窓または半透明窓６３０を、接着または超音波溶接などの任意の適当な製造技術によって、その周辺部（図示せず）にて後部ハウジング６２６に取り付けてもよい。いくつかの実施形態において、透明窓または半透明窓６３０を、後部ハウジング６２６に対して着脱可能に取り付ける。ベース部６１２は、１つ以上の開口部６３２を含む。いくつかの実施形態において、最上面の周辺部６７２上で、ベース６１２の６３４は、上方に方向づけたリムまたは突起部６３６である。
【００８８】
図１８は、ベース部６１２上に取り付けた着脱可能な捕獲器部６１４をもつ捕虫器６１０の断面図を示すとともに、ベース部６１２および着脱可能な捕獲器部６１４の内部を示す。着脱可能な捕獲器部６１４は、透明材料または半透明材料から構成されるとともに、前面６４２上の透明または半透明の粘着剤６４０によってコーティングされてもよい、少なくとも１つの開口部６２０およびバックプレート６３８をもつ前部ハウジング６１８を含む。いくつかの実施形態において、相当な割合のＵＶ光および可視光が、例えば光の６０％以上が、バックプレート６３８および粘着剤６４０を通じて伝達されるように、バックプレート６３８の材料および厚みや、粘着剤６４０の材料および厚みを選択する。捕獲器部６１４の前部ハウジング６１８およびベース部６１２後部ハウジング６２６を、熱成形された不透明プラスチック材料、あるいは紙、ボール紙、段ボール紙、若しくは製紙用パルプなどの他の不透明材料、透明材料、または半透明材料を含む、任意の適当な材料から構築してもよい。いくつかの実施形態において、前部ハウジング６１８および後部ハウジング６２６を、射出成形または他の適当な製造技術によって構築する。バックプレート６３８は、光の均一な分散を最適化するために凸面、凹面、若しくは鞍状輪郭、または輪郭の組み合わせに形成されてもよいが、図示するように、バックプレート６３８は、実質的に平面である。代替え的に、バックプレート６３８は、粘着剤コーティング面面積を増大し、ある昆虫種が魅力的であると感じる交互の明／暗領域を生成し、且つ捕獲器部６１４の内部への昆虫誘引光の伝達を向上させるリブまたは他の特徴を含んでもよい。
【００８９】
いくつかの実施形態において、さらなる昆虫捕獲効率および能力を提供するために、内面上の透明粘着剤、半透明粘着剤、または不透明粘着剤によって、前部ハウジング６１８をコーティングする。さらに、昆虫に対するその魅力を向上させるとともに、昆虫捕獲効率および効果をさらに向上させるために、前部ハウジング６１８は、また、その内面上の粘着剤コーティングの真下に反射コーティングを有してもよい。前部ハウジング６１８およびバックプレート６３８は、それらの周辺部にて粘着剤に相互に接合されてもよいが、他の一般的に使用されるパッケージングアセンブリ技術（超音波溶接若しくはＲＦシーリング、または他の適当なアセンブリ方法によって接合されてもよい。捕獲器部６１４の材料は、昆虫誘引物質を含んでもよい。例えば、ソルビトール、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む鞘翅目誘引物質、セラルア、キュウルア、ラチルア、メドルア、ｍｏｇｕｃｈｕｎ、ムスカルア、およびトリメドルアを含む双翅目誘引物質、レスカルレを含む同翅類誘引物質、ディスパールアなどの鱗翅目誘引物質、コドレルア、ゴシップルア、ヘキサルア、リトルア、ループルア、オルフラルア、およびオストラモンを含む直鎖鱗翅目フェロモン、ならびにオイゲノール、メチルオイゲノール、およびシグルールなどの他の昆虫誘引物質、または、捕虫器１１０の昆虫誘引効率をさらに増加させる香りを供給する他の物質に、捕獲器部６１４の材料を浸透させてもよい。このような実施形態において、昆虫誘引物質は、捕獲器部６１４に一体化する。代替え的に、前部ハウジング６１８の内面上若しくは前部ハウジング６１８内の開口部６２０を通じて、またはバックプレート６３８の前面６４２上に取り付ける分離ピース内に、昆虫誘引物質を埋め込んでもよい。このような誘引物質が、捕虫器６１０からほぼ半径２メートルにわたって昆虫によって検知可能であることは好ましい。
【００９０】
図示するように、前部ハウジング６１８およびバックプレート６３８は、捕獲器部６１４内の前部筺体６４４を形成し、後部ハウジング６２６および窓６３０は、ベース部６１２内の後部筺体６４６を形成する。いくつかの実施形態において、ベース部６１２は、導電性プロング６２２、スイッチ６１６、および１つ以上のＬＥＤ６２４に電気的に接続された、コマンドを実行するためのプログラマブルプロセッサまたはチップ（図示せず）を有する回路基板６４８を含む。但し、明確にするために、電気的接続のすべてを示すとは限らない。回路基板６４８は、導電性プロング６２２から一般家庭の電流を受け入れ、スイッチ６１６の位置に反応し、１つ以上のＬＥＤ６２４を灯す電力を供給する電子回路を含んでもよい。回路基板６４８は、スイッチ６１６が閉位置にある場合に１つ以上のＬＥＤ６２４に対して安定した電圧を提供する全波整流回路または他の回路などのエナジースタビライザを含んでもよいが、エナジースタビライザは、ある種の昆虫が魅力的であると感じる点滅光を提供する１つ以上のＬＥＤ６２４に対して可変電圧を供給し得る。例えば、約０．０５Ｈｚ（例えば大型哺乳動物の呼吸数を模倣する）から２５０Ｈｚ（例えばオスのイエバエを誘引すると知られている最も高い点滅周波数）の範囲内の光点滅周波数が、望ましくなり得るし、照明素子を、この範囲内で点滅するように構成してもよい。回路基板６４８は、ＵＶ光および可視光の両方を提供する、１つ以上のＬＥＤ６２４に対して電力を提供してもよいが、１つ以上のＵＶＬＥＤ６２４のみ若しくは１つ以上の可視光ＬＥＤ６２４のみに対して電力を提供するか、または点滅するＵＶ光および可視光の組み合わせを生成する可変電力を提供するように回路基板３４０を構成し得る。昆虫誘引音を発するためにベース部６１２内に取り付けられてもよい圧電スピーカ若しくは他の装置などの送信器または送受信器を駆動するように、回路基板６４８をさらに構成してもよい。例えば、送信器または送受信器は、約０．５Ｈｚ（例えば大型哺乳動物の心拍数）から２４０ＫＨｚ（例えば昆虫によって検出可能な最も高い周波数）の範囲内の周波数を有する昆虫誘引音を発してもよい。いくつかの実施形態において、周波数は、約５Ｈｚから１００ＫＨｚの範囲内にある。いくつかの実施形態において、周波数は、約３５Ｈｚから５０ＫＨｚの範囲内にある。このような昆虫誘引音が、捕虫器６１０からほぼ半径２メートルにわたって昆虫によって検知可能であることが好ましい。このような昆虫誘引音が、捕虫器６１０から半径ほぼ１メートルを超えて人間によって検出不可能であることが望ましい。
【００９１】
図示するように、ベース部６１２の最上面６３４上の上向きの突起部またはリム６３６は、使用中に適当な場所にそれを固定する捕獲器部６１４に係合するが、捕獲器部６１４をベース部６１２に対して確実に但し着脱可能に取り付けることを可能にする他の形式の取り付け機構に置換してもよい。
【００９２】
捕虫器６１０の動作において、導電性プロング６２２が壁の電気ソケット内に挿入され、スイッチ６１６は、閉位置に移動される。１つ以上のＬＥＤ６２４は、ベース部６１２内の少なくとも１つの開口部６３２を通じて、後部筺体６４６内に、および後部ハウジング６２６の反射コーティングされた内面６２８および窓６３０の後面６５０上を伝達する、矢印によって表わす光、好ましくはＵＶ光および可視光を発する。いくつかの実施形態において、光は、ベース部６１２内で操作されず、捕獲器部６１４内に直接発せられる。後部ハウジング６２６の反射コーティングされた内面６２８は、凹形状を含んでもよく、窓６３０の後面６５０上に光を均一に分散するために１つ以上のＬＥＤ６２４からのＵＶ光および可視光を反射するように構成されてもよいが、後部ハウジング６２６の内面６２８は、凸面状若しくはサドル形状または形状の組み合わせを有してもよいし、あるいは、より均一に光を分散するためにリブまたは他の特徴を有していてもよい。代替え的に、窓６３０の後面６５０上にＵＶ光および／または可視光を分散するように（例えば、焦点において、特定のパターンにしたがって均一に、など）構成された、アナモフィックレンズ（図示せず）若しくは任意の他のレンズ若しくはレンズの組み合わせなどの光学エンハンサは、ベース部６１２内の開口部６３２にて、または開口部６３２の近くで、ベース部６１２に対して取り付けられてもよく、後部ハウジング６２６の反射コーティングされた内面６２８の役割に置き換わるか、または増強してもよい。代替え的に、１つ以上のＬＥＤ６２４からのＵＶ光および／または可視光は、傾斜角（例えば、約０°から９０°の鋭角）にて窓６３０の後面６５０に直接衝突し、ベース部６１２の窓６３０にわたって且つ窓６３０を通じて、および捕獲器部６１４のバックプレート６３８上に、広げられてもよく、後部ハウジング６２６の反射コーティングされた内面６２８の、若しくはベース部６１２に対して取り付けたレンズ（複数可）の役割に、置き換わるかまたは増強してもよい。光は、前面６４２上のバックプレート６３８および粘着剤コーティング６４０を通じて、および前部筺体６４４内に、伝達してもよい。ベース部６１２の窓６３０、捕獲器部６１４のバックプレート６３８、バックプレート６３８の前面６４２上の粘着剤コーティング６４０、または窓６３０バックプレート６３８、および粘着剤コーティング６４０の任意の組み合わせの、光拡散プロパティによって、光を、さらに均一に分散してもよい。いくつかの実施形態において、前部筺体６４４に入る光の一部は、前部ハウジング６１８内の１つ以上の開口部６２０を通じて継続し、捕虫器を設置するエリア内に発せられる。昆虫は、粘着剤コーティング６４０を通じて、および／または前部ハウジング６１８内の１つ以上の開口部６２０を通じて伝達されるＵＶ光および／または可視光に誘引され、１つ以上の開口部６２０内および粘着剤コーティング６４０上を飛行または巡回する可能性があり、昆虫は、粘着剤内に閉じ込められるようになる。ユーザは、前部ハウジング６１８内の１つ以上の開口部６２０を見ることによって、捕獲された昆虫を観察することができる。十分な数の��虫を捕獲した場合、ユーザは、捕獲した昆虫、昆虫の残骸、または粘着剤に接触せずに、使用した捕獲器部６１４全体を容易に取り除き廃棄することができ、捕獲した昆虫、昆虫の残骸、または粘着剤は、捕獲器部６１４の内部の手の届かないところに残り、使用した捕獲器部を新たな捕獲器部６１４に置換する。新たな捕獲器部６１４は、捕虫器６１０が昆虫を効率的且つ効果的に誘引し捕獲し続けるということを保証する、未使用の粘着剤コーティング面および指向面を有してもよい。
【００９３】
捕虫器６１０の利点が捕獲器部６１４内部での光の操作である、ということを認識するべきである。いくつかの実施形態において、光操作が捕獲器部６１４内部で単独で生じる。光操作は、反射、屈折、偏光、および／または拡散を含み、操作要素または操作面（例えば、内面６２８、窓６３０、バックプレート６３８、および粘着剤コーティング６４０）に関与することによって実現される。いくつかの実施形態において、光操作は、粘着剤面または粘着剤コーティング６４０上で光の均一な分散を生じる。いくつかの実施形態において、粘着剤コーティング６４０上または捕獲器部６１４内部で所定パターン、例えば、均一の分散、高輝度のホットスポット、ホットスポットパターンおよび／またはその組み合わせによる均一の分散を生じるために、光を操作する。
【００９４】
任意の適当な粘着剤も、また、昆虫を捕獲するための粘着剤面の一部として用いてもよい。いくつかの実施形態において、アクリル樹脂、ブチルゴム、天然ゴム、ニトリル、シリコン、スチレンブロックコポリマー、スチレン−エチレン／プロピレン、スチレンーイソプレンースチレン、ビニルエーテルなどの感圧粘着剤を用いてもよい。概して、このような粘着剤の厚みは、約０．０１ミリメートルから１ミリメートルの範囲内になる。いくつかの実施形態において、粘着剤の厚みは、約０．０５ミリメートルから０．２ミリメートルの範囲内にあり、最も多く用いられる場合は約０．１ミリメートルの厚みをもつ。
【００９５】
この構成の捕虫器６１０は、ベース部６１２に対して着脱可能に取り付けてもよい、様々な異なる捕獲器部６１４に適合することができ、各捕獲器部６１４は、特定の種または複数の種の昆虫を誘引し捕獲するように独自に構成される。例えば、捕獲器部６１４の全体的なサイズおよび形状、ならびに捕獲器部６１４の前部ハウジング６１８内の開口部６２０のサイズ、形状、および配向を、特定の種または複数の種の昆虫を誘引し捕獲するように独自に構成してもよい。例えば、いくつかの実施形態において、捕獲器部６１４は、幅が約２０ミリメートルから６００ミリメートル、高さが２０ミリメートルから６００ミリメートル、および深さが５ミリメートルから１５０ミリメートルである。例えば、いくつかの実施形態において、捕獲器部６１４は、幅が約２０ミリメートルから２００ミリメートル、高さが２０ミリメートルから２００ミリメートル、および深さが５ミリメートルから８０ミリメートルである。例えば、いくつかの実施形態において、捕獲器部６１４は、幅が約２０ミリメートルから１３０ミリメートル、高さが２０ミリメートルから１３０ミリメートル、および深さが５ミリメートルから５０ミリメートルである。
【００９６】
いくつかの実施形態において、ベース部６１２は、幅が約１０ミリメートルから６００ミリメートル、高さが１０ミリメートルから１５０ミリメートル、および深さが１０ミリメートルから１５０ミリメートルである。いくつかの実施形態において、ベース部６１２は、幅が約２０ミリメートルから２００ミリメートル、高さが１０ミリメートルから１００ミリメートル、および深さが１０ミリメートルから８０ミリメートルである。いくつかの実施形態において、ベース部６１２は、幅が約２０ミリメートルから１３０ミリメートル、高さが１０ミリメートルから５０ミリメートル、および深さが１０ミリメートルから５０ミリメートルである。
【００９７】
本明細書で規定するように、開口部６２０は、様々な形状および／またはサイズを有してもよい。例えば、開口部６２０は、円形、正方形、長方形、多角形、および／または楕円形であってもよい。代替え的に、開口部６２０は、直線、曲線、または波状の形状若しくはパターンを有するスロットであってもよい。開口部６２０が円形である場合、開口部６２０は、直径約０．５ミリメートルから３０ミリメートルであってもよい。いくつかの実施形態において、円形開口部６２０は、直径約０．５ミリメートルから２０ミリメートルである。いくつかの実施形態において、円形開口部６２０は、直径約０．５ミリメートルから１５ミリメートルである。開口部６２０がスロット形状である場合、開口部６２０は、幅が約２ミリメートルから３０ミリメートル、および長さが５ミリメートルから５００ミリメートルであってもよい。いくつかの実施形態において、スロット開口部６２０は、幅が約２ミリメートルから２０ミリメートル、および長さが５ミリメートルから２００ミリメートルである。いくつかの実施形態において、スロット開口部１２０は、幅が約２ミリメートルから１５ミリメートル、および長さが５ミリメートルから１００ミリメートルである。
【００９８】
いくつかの実施形態において、開口部６２０は、捕獲器部６１４のすべてまたは一部をカバーする。例えば、開口部６２０は、捕獲器部６１４の表面積の約１％から７５％の範囲をカバーしてもよい。いくつかの実施形態において、開口部６２０は、捕獲器部６１４の表面積の約５％から５０％をカバーする。いくつかの実施形態において、開口部６２０は、捕獲器部６１４の表面積の約１０％から３０％をカバーする。
【００９９】
図１９は、符号７１０で概して示す、捕虫器の第７の実施形態の断面図を示し、図２０は、図１９の一部拡大図である。捕虫器７１０は、ベース部７１２と、着脱可能な捕獲器部７１４とを含む。図示するように、ベース部７１２は、ユーザによる所望のとおりに、スイッチ７１６を開閉することによって、捕虫器７１０の電源をオンまたはオフにすることを可能にするように構成可能な、スイッチ７１６を含む。代替え的に、スイッチ７１６は、例えば、光度、発光波長の組み合わせ、点滅光の様々なモード若しくは周波数、部屋が暗くなったときに電源をオンにする自動設定、またはリモートコントロール設定などの他の機能を制御するように構成されてもよい。ベース部７１２の後面７７０から突出するのは、壁に対して捕虫器７１０を取り付け、且つ標準家庭の電気コンセント内に挿入プロング７１８することによって捕虫器７１０に対して電力を供給するように構成された、（１つのみがこの図に示される）２つの導電性プロング７１８である。代替え的に、ベース部７１２は、所望する場所ならどこにでも置かれるかまたは掛けられるように、且つベース部７１２内に搭載するバッテリ（図示せず）から電力を受け入れるように構成されてもよい。電気ソケットおよびバッテリは、捕虫器７１０に対して電力を供給するように説明されているが、任意の適当な電源を用いてもよい。いくつかの実施形態において、スロット７２２を、ベース部７１２の最上面７２０内に設置し、上方に方向づけられた突起部７２４を、最上面７２０の周辺部上に設置する。
【０１００】
捕獲器部７１４は、少なくとも１つの開口部７２８をもつ前部ハウジング７２６と、仕切り７３０と、後部ハウジング７３６と、１つ以上のＬＥＤ７４０などの照明素子と、電気捕獲コンタクト７４２とを含む。いくつかの実施形態において、仕切り７３０は、透明材料または半透明材料から構成され、前面７３４上の透明または半透明の粘着剤７３２によってコーティングされる。いくつかの実施形態において、仕切り７３０の材料および厚み、および粘着剤７３２の材料および厚みは、相当な割合のＵＶ光および／または可視光が、例えば光の６０％以上が、仕切り７３０および粘着剤７３２を通じて伝達されるように選択される。いくつかの実施形態において、ＬＥＤ７４０は、紫外（ＵＶ）光を発するものと、可視光（例えばブルーライト）を発するものとを含む。何らかの実施形態において、照明素子は、日光を模倣するために組み合わせた波長を発する。図示するように、１つ以上のＬＥＤ７４０の各々に対して２つの電気捕獲コンタクト７４２がある。それにより、各々の対の捕獲コンタクト７４２は、それぞれのＬＥＤ７４０に対して電気的に接続される。
【０１０１】
いくつかの実施形態において、後部ハウジング７３６は、反射コーティングされた内面７３８を含む。後部ハウジング７３６の材料および表面仕上げは、反射コーティングを伴わずに、ＵＶ光および／または可視光を反射するように代替え的に構成されてもよい。前部ハウジング７２６および後部ハウジング７３６を、熱成形された不透明プラスチック材料、あるいは紙、ボール紙、段ボール紙、若しくは製紙用パルプなどの他の不透明材料、透明材料、または半透明材料を含む、任意の適当な材料から構築してもよい。いくつかの実施形態において、前部ハウジング７２６および後部ハウジング７３６を、射出成形または他の適当な製造技術によって構築する。
【０１０２】
図示するように、仕切り７３０は、実質的に平面であってもよいが、仕切り７３０は、光の均一な分散を最適化するために凸面、凹面、若しくは鞍状輪郭、または輪郭の組み合わせに形成されてもよい。代替え的に、仕切り７３０は、粘着剤コーティング面の面積を増大させ、ある昆虫種が魅力的であると感じる交互の明／暗領域を生じ、捕獲器部７１４の内部への昆虫誘引光の伝達を向上させるリブまたは他の特徴を含んでもよい。いくつかの実施形態において、さらなる昆虫捕獲効率および能力を提供するために、内面上の透明粘着剤、半透明粘着剤、または不透明粘着剤によって、前部ハウジング７２６をコーティングする。さらに、前部ハウジング７２６は、昆虫に対するその魅力を向上させるとともに、昆虫捕獲の効率および効果をさらに向上させるために、内面上の粘着剤コーティングの真下に反射コーティングを含んでもよい。前部ハウジング７２６、仕切り７３０、および後部ハウジング７３６は、それらの周辺部にて、粘着剤で相互に接合されてもよいが、他の一般的に使用されるパッケージングアセンブリ技術（超音波溶接若しくはＲＦシーリング、または他の適当なアセンブリ方法によって接合されてもよい。
【０１０３】
捕獲器部７１４の材料は、また、昆虫誘引物質を含んでもよい。例えば、ソルビトール、ブレビコミン、ドミニカルレ、フロンタリン、グランドルア、イプスジエノール、イプセノール、ジャポニルア、リネアチン、メガトモ酸、ムルチストリアチン、オリクタルア、スルカトール、およびトランク−コールを含む鞘翅目誘引物質、セラルア、キュウルア、ラチルア、メドルア、ｍｏｇｕｃｈｕｎ、ムスカルア、およびトリメドルアを含む双翅目誘引物質、レスカルレを含む同翅類誘引物質、ディスパールアなどの鱗翅目誘引物質、コドレルア、ゴシップルア、ヘキサルア、リトルア、ループルア、オルフラルア、およびオストラモンを含む直鎖鱗翅目フェロモン、ならびにオイゲノール、メチルオイゲノール、およびシグルールなどの他の昆虫誘引物質、または、捕虫器１１０の昆虫誘引効率をさらに増加させる香りを供給する他の物質に、捕獲器部７１４を浸透させてもよい。このような実施形態において、昆虫誘引物質は、捕獲器部７１４に一体化する。代替え的に、前部ハウジング７２６の内面上若しくは前部ハウジング７２６内の開口部７２８を通じて、または仕切り７３０の前面７３４上に取り付ける分離ピース内に、昆虫誘引物質を埋め込んでもよい。このような誘引物質が、捕虫器７１０からほぼ半径２メートルにわたって昆虫によって検知可能であることは好ましい。図示するように、仕切り７３０は、捕獲器部７１４を前部筺体７４４と後部筺体７４６とに分離する。
【０１０４】
いくつかの実施形態において、ベース部７１２は、導電性プロング７１８、スイッチ７１６、および電気ベースコンタクト７５０に対して電気的に接続された、コマンドを実行するためのプログラマブルプロセッサまたはチップ（図示せず）を有する回路基板７４８を含む。但し、明確にするために、電気的接続のすべてを示すとは限らない。捕獲器部７１４内のＬＥＤ７４０の各々に対してベース部７１２内の２つのベースコンタクト７５０を示しているが、任意の適当な数を用いてもよい。ベースコンタクト７５０は、捕獲器部７１４がベース部７１２に対して着脱可能に取り付けられた場合に、捕獲コンタクト７４２との電気的接続を提供するように構成されてもよい。回路基板７４８は、導電性プロング７１８から一般家庭電流を受け入れて、スイッチ７１６の位置に対して反応し、ベースコンタクト７５０に対して電力を供給する電子回路を含んでもよく、電子回路は、ひいては、捕獲コンタクト７４２に対して電力を供給し、捕獲器部７１４がベース部７１２に対して取り付けられた場合に捕獲器部７１４内のＬＥＤ７４０を灯す。いくつかの実施形態において、回路基板７４８は、スイッチ７１６が閉位置内にあり、且つ捕獲器部７１４がベース部７１２に対して取り付けられた場合に、１つ以上のＬＥＤ７４０に対して安定した電圧を提供する、全波整流回路または任意の他の回路などのエナジースタビライザを含み、エナジースタビライザは、ある種の昆虫が魅力的であると感じる点滅光を提供する１つ以上のＬＥＤ７４０に対して可変電圧を供給してもよい。例えば、約０．０５Ｈｚ（例えば大型哺乳動物の呼吸数を模倣する）から２５０Ｈｚ（例えばオスのイエバエを誘引すると知られている最も高い点滅周波数）の範囲内の光点滅周波数が、望ましくなり得るし、照明素子を、この範囲内で点滅するように構成してもよい。回路基板７４８は、ＵＶ光および可視光の両方を提供する、１つ以上のＬＥＤ７４０に対して電力を提供してもよいが、１つ以上のＵＶＬＥＤ７４０のみ若しくは１つ以上の可視光ＬＥＤ７４０のみに対して電力を提供するか、または点滅するＵＶ光および可視光の組み合わせを生成する可変電力を提供するように回路基板７４８を構成し得る。昆虫誘引音を発するためにベース部７１２内に取り付けられてもよい圧電スピーカ若しくは他の装置などの送信器または送受信器を駆動するように、回路基板７４８をさらに構成してもよい。例えば、送信器または送受信器は、約０．５Ｈｚ（例えば大型哺乳動物の心拍数）から２４０ＫＨｚ（例えば昆虫によって検出可能な最も高い周波数）の範囲内の周波数を有する昆虫誘引音を発してもよい。いくつかの実施形態において、周波数は、約５Ｈｚから１００ＫＨｚの範囲内にある。いくつかの実施形態において、周波数は、約３５Ｈｚから５０ＫＨｚの範囲内にある。このような昆虫誘引音が、捕虫器７１０からほぼ半径２メートルにわたって昆虫によって検知可能であることが好ましい。このような昆虫誘引音が、捕虫器７１０から半径ほぼ１メートルを超えて人間によって検出不可能であることが望ましい。
【０１０５】
いくつかの実施形態において、ベース部７１２は、使用中に適当な場所にそれを固定するために捕獲器部７１４に係合するように構成される、最上面７２０内のスロット７２２および突起部７２４を含むが、捕獲器部７１４をベース部７１２に対して確実に但し着脱可能に取り付けることを可能にする他の形式の取り付け機構に置換してもよい。
【０１０６】
捕虫器捕虫器７１０の動作において、導電性プロング７１８は壁の電気ソケット内に挿入され、スイッチ７１６は、閉位置に対して移動され、捕獲器部７１４は、ベース部７１２に対して取り付けられる。１つ以上のＬＥＤ７４０は、矢印によって表わす光、好ましくはＵＶ光および可視光を発し、後部筺体７４６内に、および後部ハウジング７３６の反射コーティングされた内面７３８および仕切り７３０の後面７５２上に光を伝達する。いくつかの実施形態において、光は、ベース部７１２内で操作されず、捕獲器部７１４内に直接発せられる。後部ハウジング７３６の反射コーティングされた内面７３８は、凹形状であり、仕切り７３０の後面７５２上に光を均一に分散する１つ以上のＬＥＤ７４０から、ＵＶ光および／または可視を反射するように構成されてもよいが、後部ハウジング７３６の内面７３８の形状は、凸面状若しくはサドル形状または形状の組み合わせを有してもよいし、あるいは、より均一に光を分散するためにリブ（図示せず）または他の特徴を有していてもよい。代替え的に、仕切り７３０の後面７５２上にＵＶ光および／または可視光を分散するように（例えば、焦点において、特定のパターンにしたがって均一に、など）構成された、アナモフィックレンズ（図示せず）若しくは任意の他のレンズ若しくはレンズの組み合わせなどの光学エンハンサは、ＬＥＤ７４０に若しくはＬＥＤ上に隣接した後部ハウジング７３６に対して取り付けられてもよいし、またはＬＥＤ７４０に対して取り付けられてもよく、後部ハウジング７３６の反射コーティングされた内面７３８の役割に置き換わるか若しくは増強してもよい。代替え的に、１つ以上のＬＥＤ７４０からのＵＶ光および／または可視光は、傾斜角（例えば、約０°から９０°の鋭角）にて仕切り７３０の後面７５２に直接衝突し、仕切り７３０にわたって広げられてもよいし、後部ハウジング７３６の反射コーティングされた内面７３８の、または後部ハウジング７３６若しくはＬＥＤ７４０に対して取り付けたレンズ（複数可）役割に置き換わるか若しくは増強してもよい。光は、前面７３４上の仕切り７３０および粘着剤コーティング７３２を通じて、および前部筺体７４４内に、伝達してもよい。仕切り７３０、前面７３４上の粘着剤コーティング７３２、またはその両方の光拡散プロパティによって、光を、さらに均一に分散してもよい。前部筺体７４４に入る光の一部は、前部ハウジング７２６内の１つ以上の開口部７２８を通じて継続し、捕虫器７１０が設置されるエリア内に発せられる。昆虫は、粘着剤コーティング７３２を通じて、および／または前部ハウジング７２６内の１つ以上の開口部７２８を通じて伝達されるＵＶ光および／または可視光に誘引され、１つ以上の開口部７２８内および粘着剤コーティング７３２上を飛行または巡回する可能性があり、昆虫は、粘着剤内に閉じ込められるようになる。ユーザは、前部ハウジング７２６内の１つ以上の開口部７２８を見ることによって、捕獲された昆虫を観察することができる。十分な数の昆虫を捕獲した場合、ユーザは、捕獲した昆虫、昆虫の残骸、または粘着剤に接触せずに、使用した捕獲器部７１４全体を容易に取り除き廃棄することができ、捕獲した昆虫、昆��の残骸、または粘着剤は、捕獲器部７１４の内部の手の届かないところに残り、使用した捕獲器部を新たな捕獲器部７１４に置換する。新たな捕獲器部７１４は、捕虫器７１０が昆虫を効率的且つ効果的に誘引し捕獲し続けるということを保証する、未使用の粘着剤コーティング面および光指向面を有してもよい。
【０１０７】
捕虫器７１０の利点が捕獲器部７１４内部での光の操作である、ということを認識するべきである。いくつかの実施形態において、光操作が捕獲器部７１４内部で単独で生じる。光操作は、反射、屈折、偏光、および／または拡散を含み、操作要素または操作面（例えば、内面７３８、仕切り７３０、および粘着剤コーティング７３２）に関与することによって実現される。いくつかの実施形態において、光操作は、粘着剤面または粘着剤コーティング上での光の均一な分散を生じる。いくつかの実施形態において、粘着剤コーティング上または捕獲器部７１４内部で所定パターン、例えば、均一の分散、高輝度のホットスポット、ホットスポットパターンおよび／またはその組み合わせによる均一の分散を生じるために、光を操作する。
【０１０８】
任意の適当な粘着剤も、また、昆虫を捕獲するための粘着剤面の一部として用いてもよい。いくつかの実施形態において、アクリル樹脂、ブチルゴム、天然ゴム、ニトリル、シリコン、スチレンブロックコポリマー、スチレン−エチレン／プロピレン、スチレンーイソプレンースチレン、ビニルエーテルなどの感圧粘着剤を用いてもよい。概して、このような粘着剤の厚みは、約０．０１ミリメートルから１ミリメートルの範囲内になる。いくつかの実施形態において、粘着剤の厚みは、約０．０５ミリメートルから０．２ミリメートルの範囲内にあり、最も多く用いられる場合は約０．１ミリメートルの厚みをもつ。
【０１０９】
この構成の捕虫器７１０は、ベース部７１２に対して着脱可能に取り付けてもよい、様々な異なる捕獲器部７１４に適合することができ、各捕獲器部７１４は、特定の種または複数の種の昆虫を誘引し捕獲するように独自に構成される。例えば、捕獲器部７１４の全体的なサイズおよび形状、捕獲器部７１４の前部ハウジング７２６内の開口部７２８のサイズ、形状、および配向、およびＬＥＤ７４０の波長および強度を、昆虫の特定の種または複数の種を誘引し捕獲するように、独自に構成してもよい。例えば、いくつかの実施形態において、捕獲器部７１４は、幅が約２０ミリメートルから６００ミリメートル、高さが２０ミリメートルから６００ミリメートル、および深さが５ミリメートルから１５０ミリメートルである。例えば、いくつかの実施形態において、捕獲器部７１４は、幅が約２０ミリメートルから２００ミリメートル、高さが２０ミリメートルから２００ミリメートル、および深さが５ミリメートルから８０ミリメートルである。例えば、いくつかの実施形態において、捕獲器部７１４は、幅が約２０ミリメートルから１３０ミリメートル、高さが２０ミリメートルから１３０ミリメートル、および深さが５ミリメートルから５０ミリメートルである。
【０１１０】
いくつかの実施形態において、ベース部７１２は、幅が約１０ミリメートルから６００ミリメートル、高さが１０ミリメートルから１５０ミリメートル、および深さが１０ミリメートルから１５０ミリメートルである。いくつかの実施形態において、ベース部７１２は、幅が約２０ミリメートルから２００ミリメートル、高さが１０ミリメートルから１００ミリメートル、および深さが１０ミリメートルから８０ミリメートルである。いくつかの実施形態において、ベース部７１２は、幅が約２０ミリメートルから１３０ミリメートル、高さが１０ミリメートルから５０ミリメートル、および深さが１０ミリメートルから５０ミリメートルである。
【０１１１】
本明細書で規定するように、開口部７２８は、様々な形状および／またはサイズを有してもよい。例えば、開口部７２８は、円形、正方形、長方形、多角形、および／または楕円形であってもよい。代替え的に、開口部７２８は、直線、曲線、または波状の形状若しくはパターンを有するスロットであってもよい。開口部７２８が円形である場合、開口部７２８は、直径約０．５ミリメートルから３０ミリメートルであってもよい。いくつかの実施形態において、円形開口部７２８は、直径約０．５ミリメートルから２０ミリメートルである。いくつかの実施形態において、円形開口部７２８は、直径約０．５ミリメートルから１５ミリメートルである。開口部７２８がスロット形状である場合、開口部７２８は、幅が約２ミリメートルから３０ミリメートル、および長さが５ミリメートルから５００ミリメートルであってもよい。いくつかの実施形態において、スロット開口部７２８は、幅が約２ミリメートルから２０ミリメートル、および長さが５ミリメートルから２００ミリメートルである。いくつかの実施形態において、スロット開口部７２８は、幅が約２ミリメートルから１５ミリメートル、および長さが５ミリメートルから１００ミリメートルである。
【０１１２】
いくつかの実施形態において、開口部７２８は、捕獲器部７１４のすべてまたは一部をカバーする。例えば、開口部７２８は、捕獲器部７１４の表面積の約１％から７５％の範囲をカバーしてもよい。いくつかの実施形態において、開口部７２８は、捕獲器部７１４の表面積の約５％から５０％をカバーする。いくつかの実施形態において、開口部７２８は、捕獲器部７１４の表面積の約１０％から３０％をカバーする。
【０１１３】
図２１は、符号８１０にて概して示す捕虫器の第８の実施形態の斜視図である。捕虫器８１０は、捕獲器部８１４とベース部８１２とを含む。図２１において、捕獲器部８１４は、ベース部８１２から取り除かれて示される。いくつかの実施形態において、捕獲器部８１４は、底面８５０から下方に突出するタブ８１８を含む。ベース部８１２は、捕獲器部８１４がベース部８１２に対して取り付けられた場合に、タブ８１８を受け入れる（図２３に示す）対応する開口部８２４を有してもよい。図示するように、ベース部８１２は、スイッチ８１６を含む。
【０１１４】
図２２は、ベース部８１２に対して取り付けた捕獲器部８１４を示す捕虫器８１０の断面図であり、図２３は、図２２の一部の拡大図である。いくつかの実施形態において、ベース部８１２は、コマンドを実行するためのプログラマブルプロセッサまたはチップ（図示せず）を有するとともに、所望のコンポーネント（例えば、スイッチ８１６、ＬＥＤ８２６、など）に対して電力および命令を提供するように構成された、回路基板８２２を含む。但し、明確にするために、電気的接続のすべてを示すとは限らない。いくつかの実施形態において、回路基板８２２は、その上に取り付けた、ドッキングまたは捕獲器スイッチ８２０を含む。捕獲器部８１４上のタブ８１８は、ベース部８１２内の対応する開口部８２４を通じて突出し、捕獲器部８１４がベース部８１２に対して取り付けられた場合に電気的捕獲器スイッチ８２０に係合してもよい。捕獲器スイッチ８２０は、捕獲器部８１４上のタブ８１８に係合する場合に閉じるように構成されてもよく、タブ８１８が捕獲器スイッチ８２０から引き上げられる場合に（例えば、捕獲器部８１４がベース部８１２から取り除かれる場合に）開くように構成されてもよい。いくつかの実施形態において、捕獲器スイッチ８２０は、捕獲器部８１４上のタブ８１８からの圧力に呼応してアクティブ化するように構成される。代替え的に、捕獲器スイッチ８２０は、捕獲器部８１４上のタブ８１８による移動に呼応してアクティブ化するように構成されてもよい。代替え的に、捕獲器スイッチ８２０は、光ビームが捕獲器部８１４のタブ８１８によって遮断される場合に閉じる光スイッチとして構成されてもよいし、捕獲器部８１４上の磁石に近接した場合に閉じるホール効果センサとして構成されてもよいし、または、捕獲器部８１４がベース部８１２に取り付けられる若しくはベース部８１２から取り除かれる場合に開閉する任意の他のスイッチ若しくはセンサとして構成されてもよい。
【０１１５】
捕獲器部８１４がベース部８１２から取り除かれる場合にＵＶ光および／または可視光ＬＥＤ８２６などの照明素子を停止させるために、捕獲器スイッチ８２０は、回路基板８２２および／またはスイッチ８１６に対して電気的に接続され、それによって、ＬＥＤ８２６からＵＶ光および／または可視光をユーザが直接見ることを防止する。代替え的に、捕獲器部８１４がベース部８１２から取り除かれた場合にＵＶＬＥＤ８２６のみを停止させるために、捕獲器スイッチ８２０は、回路基板８２２および／またはスイッチ８１６に対して電気的に接続されてもよい。
【０１１６】
本説明の原理が適用されてもよい多くの可能的な実施形態に鑑みて、図形に関して本明細書に記載された実施形態が例示的であることを意図するのであって、特許請求の範囲を限定するものとして単にとられるべきでない、ということを認識するべきである。例えば、単純化のためにＬＥＤからの光の主方向に相関するように角度測定値を記載しているが、角度は、また、垂直軸に相関することもでき得る。さらに、実施形態の各々に対して、ハウジングの前部（若しくは全ハウジング若しくは全捕獲器部）を、様々な装飾的および／または機能的形状で形成されてもよい。例えば、花若しくは植物、または貝、または会社ロゴ、またはスポーツチームロゴ、またはフットボール、またはバスケットボール、またはサッカーボール、またはホッケー用パック、またはフットボール用ヘルメット、またはホッケースティック、または他の形状に類似するように、ハウジングを成形してもよい。明確に示さなかったとしても、例示的な実施形態の各々は、他の実施形態からの要素を含んでもよい。したがって、本明細書に記載されるような技術は、以下の特許請求の範囲およびその等価物の範囲内に含まれるようなすべての実施形態を想定する。
【図１】
2019076111.tif 000003
【図２】
2019076111.tif 000004
【図３】
2019076111.tif 000005
【図４】
2019076111.tif 000006
【図５】
2019076111.tif 000007
【図６】
2019076111.tif 000008
【図７】
2019076111.tif 000009
【図８】
2019076111.tif 000010
【図９】
2019076111.tif 000011
【図１０】
2019076111.tif 000012
【図１１】
2019076111.tif 000013
【図１２】
2019076111.tif 000014
【図１３】
2019076111.tif 000015
【図１４】
2019076111.tif 000016
【図１５】
2019076111.tif 000017
【図１６】
2019076111.tif 000018
【図１７】
2019076111.tif 000019
【図１８】
2019076111.tif 000020
【図１９】
2019076111.tif 000021
【図２０】
2019076111.tif 000022
【図２１】
2019076111.tif 000023
【図２２】
2019076111.tif 000024
【図２３】
2019076111.tif 000025
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
筺体内に少なくとも部分的に収納されており、且つ昆虫に付着するように構成された粘着剤面と、第１の開口部と、を有する前記筺体を含む捕獲器部であって、前記粘着剤面は、前記筺体の上端側から下端側まで、使用状態における略垂直方向に延びる平面上に設けられる捕獲器部と、
前記捕獲器部に対して光を提供するように構成された照明素子と、を有する捕虫器に設けられるドッキング装置であって、
電源に連通し、且つ前記照明素子に対する電力を制御するスイッチにより構成されるドッキング構造と、
前記筺体上に設置され、前記ドッキング構造に係合することで、前記照明素子を点灯するように前記スイッチをアクティブ化するドッキングアクティベータと、を備えるドッキング装置。
【請求項２】
前記ドッキングアクティベータは、面、突起部、タブ、または磁石を備える請求項１に記載の装置。
【請求項３】
前記ドッキング構造は、前記ドッキングアクティベータが前記ドッキング構造に係合する場合に閉じるように構成され、前記ドッキングアクティベータが前記ドッキング構造から離脱する場合に開くように構成される請求項１に記載の装置。
【請求項４】
前記ドッキング構造は、前記ドッキングアクティベータからの圧力に呼応してアクティブ化するように構成される請求項１に記載の装置。
【請求項５】
前記ドッキング構造は、前記ドッキングアクティベータからの移動に呼応してアクティブ化するように構成される請求項１に記載の装置。
【外国語明細書】
2019076111000001.pdf